(57)【要約】【課題】遊技者の携帯電話機３からのパスワードを受信可能な遊技機１において、パスワードを送信しない遊技者が不要な時間、待たされることを防止し、この者の遊技意欲の減退を防止するとともに、パスワードの送信に戸惑った遊技者に再度パスワードの送信機会を与えることを目的とする。【解決手段】パスワードの送信を望む者は、確認ボタン９０Ａを押すことによって（Ｓ６０５）、パスワード受信可能期間を確保することができる。さらに遊技者は、延長ボタン９０Ｂを押すことによって（Ｓ６２３）、パスワード受信可能期間を延長することができる。その一方、パスワードの受信を望まない遊技者は、確認ボタン９０Ａを押さないことによって、パスワード受信可能期間を短縮することができ、待機画面表示時間という不必要な時間、待機することが不要となる。【選択図】図４１
2014230766.tif 000002
【特許請求の範囲】
【請求項１】
携帯通信端末からの信号を受信可能な遊技機において、
前記遊技機には、前記携帯通信端末から送信された情報データを遊技開始後の所定のタイミングに設けられた情報データの受信可能期間内に受信する情報データ受信手段と、
前記受信可能期間の短縮、削除又は延長を前記受信可能期間中に設定可能な期間変更手段とが備えられていることを特徴とする遊技機。
【請求項２】
携帯通信端末の表示手段に表示される、特定の情報データから作成された文字、図形、記号、バーコード、二次元コードその他の識別情報を、遊技開始後の所定のタイミングに設けられた識別情報の読取可能期間内に読み取る読取手段と、
前記読取可能期間の短縮、削除又は延長を前記読取可能期間中に設定可能な期間変更手段とが備えられていることを特徴とする遊技機。
【発明の詳細な説明】
【技術分野】
【０００１】
本発明は、遊技機に関する。
【背景技術】
【０００２】
パチンコ遊技機等の遊技機では、一般にカラー液晶、リール等の表示装置によって、ゲーム内容に応じた演出が行われてきた。例えば、３列の図柄がスクロール変動するタイプのパチンコ遊技機にあっては、左右の２列の図柄が有効ライン上で同一図柄で停止したリーチ状態において、変動中の１列の図柄のスクロール速度が遅くなったり、コマ送り状態で変動する演出が行われてきた。ところが、このような単純な動作内容は、遊技者が見慣れてしまったため、遊技者の興趣をそれ程引かなくなってきた。
【０００３】
そこで、近年の遊技機では、多種多様の動作が行われるようになった。例えば、リーチ状態において、表示される図柄をフラッシュさせたり、あるいは種々のキャラクタが特別の動作を行う等の演出が行われている（例えば、特許文献１参照）。
また、パチンコ遊技機においては、リーチ状態となることを事前に示唆する動作、大当たり図柄が導出されることを事前に示唆する動作等、所定の遊技状態となることを事前に示唆する動作も行われている。
しかしながら、多種多様の動作により、遊技機が遊技店に設置された当初、遊技者に斬新な印象を与えたとしても、時間の経過とともに遊技者がその動作に見慣れて飽きてしまうという問題点があった。
【０００４】
そこで、この問題点を解決するために、次のような遊技システムが提案されている（例えば、特許文献２参照）。まず、台間機に挿入された遊技カードに、遊技中に使用した金額に応じたポイントが加算されていき、このポイント数に応じて遊技機の動作内容が変更される遊技システムが提案されている。
また、他のシステムとして、遊技中に使用した金額に応じて獲得されたポイント数を携帯電話番号に対応づけて管理する管理装置を設け、遊技に際して遊技者が携帯電話機を台間機に備えられた携帯電話ホルダにセットすると、その携帯電話機の携帯電話番号に対応づけて記憶されている遊技者のポイント数が読み込まれ、このポイント数に応じて遊技機の動作内容が変更される遊技システムが提案されている。
【０００５】
これらのシステムによれば、遊技中に使用した金額に応じてポイントが獲得され、そして、このポイント数に応じて動作内容が変更されるから、遊技機が遊技店に設置されてから長時間経過したとしても動作内容に飽きにくくなる。
なお、これらのシステムにおいては、遊技カードが台間機に挿入された状態、又は携帯電話機が携帯電話ホルダにセットされた状態で、貨幣等が使用されるとポイント加算されていく構成となっているため、遊技者はポイント獲得のために、通常、遊技開始前に遊技カードを挿入、又は携帯電話機を携帯電話ホルダにセットし、遊技中は遊技カードをそのまま挿入した状態、又は携帯電話機を携帯電話ホルダにセットしたままの状態で遊技することとなる。
【０００６】
しかしながら、これらのシステムでは遊技者が遊技機の動作内容の変更に関与しているという意識を十分に持つことができないため、それ程、遊技意欲の向上にはつながらないという問題点があった。
【０００７】
すなわち、これらのシステムでは、遊技者が行うのは、遊技開始前の遊技カードの挿入、又は携帯電話機の携帯電話ホルダへのセットだけであり、遊技中には動作内容の変更のために何らの行為も行わないため、遊技機の動作内容の変更にリアルタイムに関与しているという印象を持ちにくい。例えば、ポイント数に応じてリーチ状態における動作が変化するような遊技機においては、まず、遊技者は、遊技開始前に遊技カードの挿入等を行う。そして、リーチ状態となるとポイント数に応じて変更されたリーチ動作となるが、遊技カードの挿入等からリーチ状態となるまでには相当の時間が経過しているため、遊技者がリーチの動作変更にリアルタイムに関与しているという印象を持ちにくい。よって、それ程、遊技意欲の向上にはつながらないのである。
【０００８】
そこで、このような問題点に鑑みて、本願出願人は、特願２００２−３６８２６９号において、遊技を開始した後の所定のタイミング、例えばリーチ状態において、遊技者が携帯電話機を用いて、赤外線等によって遊技機に情報データを送信すると、これに連動するようにして遊技機の動作内容が変更される遊技機を提案している。
なお、赤外線等によって情報データを送信する代わりに、携帯電話機の液晶表示装置に情報データから作成されたバーコード等を表示し、これを所定のタイミングで、遊技機に備えたスキャナによって読み取らせる構成も考えられる。
【先行技術文献】
【特許文献】
【０００９】
【特許文献１】特開平１１−２８２７６号公報（第１５，１６図）
【特許文献２】特開２００２−２００２８３公報（第４，５図）
【発明の概要】
【発明が解決しようとする課題】
【００１０】
ところで、この遊技機の遊技者は、液晶に表示されるメッセージ等によって、所定のタイミングの到来を知り、その後、携帯通信端末を操作して情報データを遊技機に送信等する。
このように、遊技者が所定のタイミングの到来を知ってから、実際に送信を完了又は読み込みを完了するまでには、ある程度の時間を要するため、この時間を考慮して、遊技機には、情報データを受信等するための待機時間を設ける必要があった。
【００１１】
しかしながら、待機時間が設けられていると、ゲームが一時中断するため、遊技者の遊技意欲を減退させるおそれがあった。
例えば、遊技機の動作内容を変更するための情報データを取得していない遊技者や、情報データを取得したとしてもこの情報データによる遊技機の動作内容の変更を望まない遊技者には、上記待機時間は不要であり、この待機時間が設けられていることで、これらの遊技者の遊技意欲を著しく減退させるおそれがあった。
また、遊技機の動作内容の変更のための情報データではないが、例えば、遊技機が遊技者を特定するための遊技者識別情報（遊技者ＩＤ）等の情報データの入力を所定のタイミングで要求する場合がある。この場合においても待機時間が設けられていると、ゲームが一時中断するため、遊技者の遊技意欲を減退させるおそれがあった。
【００１２】
他方、携帯電話機等の携帯通信端末を用いて情報データを遊技機に送信、又は読み込ませることは、従来の遊技機において行われていない斬新な構成であるため、遊技者が情報データの送信に戸惑い、情報データを所定の受信可能期間内に送信できない、又は読取可能期間内に読み取らせることができない可能性があった。
【００１３】
本発明は上記のような事情に基づいて完成されたものであって、情報データの送信等を望まない遊技者が不要な時間、待たされることを防止し、この者の遊技意欲の減退を防止するとともに、情報データの送信等に戸惑った遊技者に対しては受信可能期間等を延長して、追加の送信等の機会を与えることを目的とする。
【課題を解決するための手段】
【００１４】
上記課題を解決するための有効な手段とその作用・効果を以下に示す。
＜手段１．＞
携帯通信端末からの信号を受信可能な遊技機において、
前記遊技機には、前記携帯通信端末から送信された情報データを遊技開始後の所定のタイミングに設けられた情報データの受信可能期間内に受信する情報データ受信手段と、
前記受信可能期間の短縮、削除又は延長を前記受信可能期間中に設定可能な期間変更手段とが備えられていることを特徴とする遊技機。
【００１５】
＜手段２．＞
携帯通信端末の表示手段に表示される、特定の情報データから作成された文字、図形、記号、バーコード、二次元コードその他の識別情報を、遊技開始後の所定のタイミングに設けられた識別情報の読取可能期間内に読み取る読取手段と、
前記読取可能期間の短縮、削除又は延長を前記読取可能期間中に設定可能な期間変更手段とが備えられていることを特徴とする遊技機。
なお、遊技機に備えられる読取手段としては特に限定されないが、例えば、バーコードや二次元コード等を読み取り可能なスキャナ、ＣＣＤカメラ等が挙げられる。また、携帯通信端末の表示手段には、例えば携帯通信端末の液晶表示装置が挙げられる。
【００１６】
手段１又は手段２の構成によれば、情報データを送信等しない遊技者に対しては、受信可能期間又は読取可能期間を短縮又は削除して、この遊技者が不要な時間、待たされることを防止することができる。他方、情報データの送信等に戸惑った遊技者に対しては、受信可能期間又は読取可能期間を延長することによって追加の情報データの送信又は読み込みの機会を与えることができる。
【００１７】
ところで、遊技者が携帯通信端末を用いて情報データを送信等するために必要とする時間は、実際の遊技中に受信可能期間又は読取可能期間が到来した時点で初めて把握することができる。なぜならば、情報データを送信等するために必要な時間は、例えば、受信可能期間における携帯情報端末の準備の程度、受信可能期間における喫煙や、飲食等の遊技者の状態等によって左右されるからである。
本手段の構成によれば、受信可能期間中又は読取可能期間中に受信可能期間又は読取可能期間の短縮、削除、延長が設定されるから、受信可能期間又は読取可能期間における携帯情報端末の準備の程度、遊技者の状態等を考慮しつつ、受信可能期間又は読取可能期間の長さ調整を行うことができる。
【００１８】
＜手段３．＞
手段１又は手段２に記載のものにおいて、前記期間変更手段は、遊技者によって操作可能となっていることを特徴とする遊技機。
【００１９】
本手段の構成によれば、遊技者は、自己の携帯情報端末の準備の程度等に応じて受信可能期間又は読取可能期間の長さを調整できる。
【００２０】
＜手段４．＞
手段１ないし手段３のいずれかに記載のものにおいて前記受信可能期間又は読取可能期間は、予め定められた最長期間以下となるように調整されることを特徴とする遊技機。
【００２１】
本手段の構成によれば、いくら受信可能期間又は読取可能期間を延長したとしても、これらの期間は最長期間より長くなることはなくなる。よって、受信可能期間又は読取可能期間が限りなく延長されて、ゲームが長期にわたり中断されるおそれはなくなる。
【００２２】
＜手段５．＞
手段１又は手段２に記載のものにおいて、前記遊技機には、前記携帯通信端末が前記遊技機に対して所定の位置にあることを検出する検出手段が設けられ、この検出手段による検出結果に基づいて前記期間変更手段が前記受信可能期間又は読取可能期間の短縮、削除又は延長を行うことを特徴とする遊技機。
【００２３】
本手段の構成によれば、遊技機の検出手段による携帯通信端末の検出結果に基づいて自動的に受信可能期間又は読取可能期間の調整が行われる。つまり、遊技者が特別な操作を行わなくても、自動的に受信可能期間又は読取可能期間の短縮、削除又は延長が行われるようになるから、遊技者の便宜を図ることができる。
【００２４】
＜手段６．＞
手段５に記載のものにおいて、前記検出手段によって前記携帯通信端末が検出された場合に、前記期間変更手段により、前記受信可能期間又は読取可能期間が延長されることを特徴とする遊技機。
【００２５】
本手段の構成によれば、遊技者の携帯情報端末を検出して、自動的に受信可能期間又は読取可能期間が延長されるから、遊技者の便宜を図ることができる。
【００２６】
＜手段７．＞
手段５又は手段６に記載のものであって、前記検出手段によって前記受信可能期間又は読取可能期間内において、前記携帯通信端末が検出されなくなったときには、前記受信可能期間又は読取可能期間は、前記携帯通信端末が検出されなくなったときに終了する、又は前記携帯通信端末が検出されなくなったときから所定期間経過後に終了することを特徴とする遊技機。
【００２７】
情報データの送信等を希望する遊技者は、情報データ受信手段に情報データを送信し易いように、携帯通信端末を遊技機に対して所定の位置にもっていくが、送信等を終了した場合や初めは送信等しようと考えていたが気が変わって送信を希望しなくなった場合には、携帯通信端末を遊技機から離す。すなわち、携帯通信端末が所定の位置にありと検出手段によって検出されている場合には、遊技者の送信等の意思があるものと擬制され、携帯通信端末が所定の位置になく検出手段によって検出されていない場合には、遊技者の送信等の意思がないものと擬制される。
本手段の構成によれば、検出手段によって携帯通信端末が検出されなくなったことに基づいて、受信可能期間又は読取可能期間を終了するようにしたから、遊技者の意思に沿うように受信可能期間又は読取可能期間を終了させることができる。
【００２８】
＜手段８．＞
手段５ないし手段７のいずれかに記載のものであって、前記検出手段によって前記受信可能期間又は読取可能期間内において、前記携帯通信端末が検出されなくなったときには、前記受信可能期間又は読取可能期間は、前記携帯通信端末が検出されなくなったときから所定期間経過後に原則として終了するが、前記所定期間内に再び前記検出手段によって前記携帯通信端末が検出されると、前記受信可能期間又は読取可能期間が延長されることを特徴とする遊技機。
【００２９】
本手段の構成によれば、受信可能期間又は読取可能期間が終了する際の所定期間内に、検出手段によって携帯通信端末が検出されると、受信可能期間又は読取可能期間が延長される。
よって、一旦、情報データを送信等する意思を喪失して遊技機から携帯通信端末を離したが、再び情報データを送信等しようとして情報通信端末を遊技機に対して所定位置にかざした遊技者に対して情報データの送信等の機会を再び与えることができる。
【００３０】
＜手段９．＞
手段５ないし手段８のいずれかに記載のものにおいて前記受信可能期間又は読取可能期間より前に、受信又は読取の準備期間が設けられ、この期間内に前記検出手段により、携帯通信端末が前記遊技機に対して所定の位置にあることを検出しない場合には、前記受信可能期間又は読取可能期間を削除することを特徴とする遊技機。
【００３１】
情報データの送信等を希望する遊技者は、通常、その送信等のために携帯通信端末を遊技機に対して所定の位置にもっていく。反対に、情報データの送信等を希望しない遊技者は、通常、携帯通信端末を何ら操作せず、もちろん遊技機に対して所定の位置にもっていくこともしない。
本手段の構成によれば、受信又は読取の準備期間内に、携帯通信端末が遊技機に対して所定の位置にあることが検出されない場合、すなわち、情報データの送信等を希望しない遊技者の場合は、受信可能期間又は読取可能期間が削除されるから、この遊技者が不要な時間中、待たされることを防止できる。
【００３２】
＜手段１０．＞
手段１ないし手段９に記載のものにおいて、受信した情報データ、又は読み込んだ識別情報が適正なものと判断された場合には、この判断時以降において延長期間が新たに設定されないようになっていることを特徴とする遊技機。
【００３３】
受信可能期間又は読取可能期間は、適正な情報データを受信等する期間であるから、情報データ等が適正に受信等された後は、延長期間を設ける必要はなく、延長期間を設けると却ってゲームが中断するため好ましくない。
本手段の構成によれば、識別情報が適正なものと判断された場合には、この判断時以降において延長期間が新たに設定されないようしたから、不要な延長期間が設定されてゲームが中断することを防止できる。
【００３４】
＜手段１１．＞
手段１ないし手段１０のいずれかに記載のものにおいて、前記期間変更手段の操作方法を前記受信可能期間内又は前記読取可能期間内に報知する報知手段が設けられていることを特徴とする遊技機。
【００３５】
本手段の構成によれば、期間変更手段の操作方法を確実に把握することができるから、期間変更手段の操作方法が分からないために遊技者が戸惑うことを防止することができる。
なお、報知手段には、例えば、各種ランプ、図柄表示装置等が用いられ、より具体的には、図柄表示装置のメッセージ表示等によって遊技者に報知される。
【００３６】
＜手段１２．＞
手段１ないし手段１１のいずれかに記載のものにおいて、前記遊技機には、遊技者から遊技機への前記情報データの送信方法、又は遊技者が前記識別情報を遊技機に読み込ませる方法を前記受信可能期間又は前記読取可能期間において報知する報知手段が設けられていることを特徴とする遊技機。
なお、報知手段には、例えば、各種ランプ、図柄表示装置等が用いられ、より具体的には、図柄表示装置のメッセージ表示等によって遊技者に報知される。
【００３７】
本手段の構成によれば、遊技者は情報データの送信方法等を確実に把握することができるから、情報データの送信方法等が分からないために遊技者が戸惑うことを防止することができ、遊技者のスムーズな操作を促すことができる。
【００３８】
＜手段１３．＞
手段１ないし手段１２のいずれかに記載のものにおいて、前記遊技機には、遊技者が送信した前記情報データが前記遊技機に適正に受信されないとき、又は遊技者が読み込ませた前記特定の識別情報が前記遊技機に適正に読み込まれてないときに、遊技者に前記情報データが適正に受信されていないこと、又は前記特定の識別情報が前記遊技機に適正に読み込まれていないことを報知する報知手段が設けられていることを特徴とする遊技機。
【００３９】
本手段の構成によれば、遊技者は、情報データが遊技機に適正に受信等されていないことを把握することができる。よって、遊技者に情報データの再送信等を促すことができる。
なお、報知手段には、例えば、各種ランプ、図柄表示装置等が用いられ、より具体的には、図柄表示装置のメッセージ表示等によって遊技者に報知される。
【００４０】
＜手段１４．＞
手段１ないし手段１３のいずれかに記載のものにおいて、前記携帯通信端末から送信された情報データを受信する前記情報データ受信手段の情報データ受信部、又は前記読取手段の読取部は、前記所定のタイミングにおいて変位するように構成されていることを特徴とする遊技機。
【００４１】
本手段の構成によれば、所定のタイミングで情報データ受信手段の情報データ受信部等が変位するから、遊技者に所定のタイミングの到来を効果的に知らせることができる。
【００４２】
＜手段１５．＞
手段１ないし手段１４のいずれかに記載のものにおいて、前記遊技機によって、前記情報データが適正に受信、又は前記識別情報が適正に読み取られたことを条件として前記遊技機の動作内容を変更する動作内容変更手段が設けられていることを特徴とする遊技機。
【００４３】
本手段の構成によれば、情報データを送信又は識別情報を読み込ませると、これに連動して遊技機の動作内容が変更されるから、遊技者に動作内容の変更に関与している感覚を十分に与えて、遊技意欲を向上させることができる。
【００４４】
＜手段１６．＞
手段１５に記載のものにおいて、前記情報データは、特定の遊技状態に関する遊技情報の積算結果が所定条件を満たすことを条件として得られることを特徴とする遊技機。
本手段の構成によれば、特定の遊技状態に関する遊技情報が所定条件を満たした遊技者に動作内容を変更する情報データの取得という特別の利益を与えることができる。
なお、従来から遊技者に対して与える特別の利益としては、例えば、大当たり等の回数に応じて与える賞品等が考えられている。しかしながら、このような特別の利益は、遊技とは直接関連性がない単なる賞品等であったため、遊技者にとってそれ程喜ばしいものではなかった。本手段の構成によれば、遊技者に与えられる特別の利益は、遊技内容に直接関連した情報データの取得であるため、遊技者に非常に魅力的なものとなり、遊技者の遊技意欲を向上させて集客効果を増すことができる。
【００４５】
＜手段１７．＞
手段１６に記載のものにおいて、前記遊技情報とは、大当たり回数を含む情報であることを特徴とする遊技機。
一般に、遊技時間が長くなれば大当たり回数は多くなる。本手段の構成によれば、大当たりの情報を含んだ積算結果を用いて、情報データを取得させているから、遊技時間が長くなり内容に飽き始めた遊技者に情報データを送り、遊技者の飽きを効果的に防止することができる。
【００４６】
＜手段１８．＞
手段１６に記載のものにおいて、前記遊技情報とは、図柄変動回数を含む情報であることを特徴とする遊技機。
【００４７】
一般に、遊技時間が長くなれば図柄変動回数は多くなる。本手段の構成によれば、図柄変動回数の情報を含んだ積算結果を用いて、情報データを取得させているから、遊技時間が長くなり演出内容に飽き始めた遊技者に情報データを送り、遊技者の飽きを効果的に防止することができる。
【００４８】
＜手段１９．＞
手段１６に記載のものにおいて、前記遊技情報とは、所定のリーチ発生回数を含む情報であることを特徴とする遊技機。
【００４９】
一般に、リーチ状態における演出は、何度も見ると飽きてしまう。本手段の構成によれば、所定のリーチ発生回数を含む情報の積算処理結果を用いて、情報データを取得させているから、リーチの演出内容に飽き始めた遊技者に情報データを送ることができ、遊技者の飽きを防止することができる。
【００５０】
＜手段２０．＞
手段１ないし手段１９のいずれかに記載のものにおいて、前記所定のタイミングは、リーチ状態のときに設けられていることを特徴とする遊技機。
【００５１】
一般に、リーチ状態となると遊技者は大当たりになるかもしれないという期待感を抱き、その結果、意識が高まり遊技に集中することとなる。
本手段の構成によれば、遊技者は意識の高まったリーチ状態のときに情報データを送信等し、これと連動して遊技機の動作内容が変更されるから、遊技者に動作内容の変更に関与している印象を強く与えることができる。
【００５２】
＜手段２１．＞
手段１ないし手段２０のいずれかに記載のものにおいて、前記所定のタイミングは、大当たり確率が通常時に比べて高くなる確変モードが決定された後、確変モードが終了するまでの間、又は可変表示装置に表示される変動図柄の変動時間が短くなる時短モードとなることが決定された後、時短モードが終了するまでの間に設けられていることを特徴とする遊技機。
【００５３】
一般に、確変モード、又は時短モードにおいては、遊技機の動作内容は単調なものとなっている。例えば、可変表示装置に表示される変動図柄の変動時間が短くなり、可変表示装置に表示される演出も通常のモード時に比べ、省略されることが多い。省略されるものとしては、例えば、いわゆるノーマルリーチ等が挙げられる。
また、これらのモード時においては、一般的に、通常のモード時と異なり遊技球を減少させることなく遊技することができる。
従って、これらのモードにおいて、遊技者は淡々と遊技をしていることが多く、遊技内容を退屈と感じている場合も多い。
本手段の構成によれば、これらのモードの際に情報データの受信等が可能となり、情報データを受信等することによって、遊技機の動作内容が変更されるから、遊技者の退屈感を緩和することができる。
【００５４】
＜手段２２．＞
手段１ないし手段２１のいずれかに記載のものにおいて、前記所定のタイミングは、大当たり遊技中に設けられていることを特徴とする遊技機。
【００５５】
大当たり遊技中においては、例えば、毎回、同一のアニメーションが図柄表示装置に表示されるだけなので、遊技者は淡々と遊技をしていることが多く、遊技内容を退屈と感じている場合も多い。
本手段の構成によれば、大当たり遊技中に情報データの受信等が可能となり、情報データを受信等することによって、遊技機の動作内容が変更されるから、遊技者の退屈感を緩和することができる。
【００５６】
＜手段２３．＞
手段１ないし手段２２のいずれかに記載のものにおいて、前記所定のタイミングは、前記遊技機内における所定の乱数値が所定条件を満たしたときであることを特徴とする遊技機。
【００５７】
一般に、遊技機は、乱数値によって、ゲーム内容が変化するように構成されている。本手段の構成によれば、乱数値が所定条件を満たし、ゲーム内容が変化したときに、遊技者は情報データを送信等できるようになる。
すなわち、ゲーム内容と連動して遊技者側からの情報データの送信タイミングが訪れるから、遊技者がゲームに参加しているという意識を高めることができる。
【００５８】
＜手段２４．＞
手段１ないし手段２３のいずれかに記載のものにおいて、前記所定のタイミングは、特定のリーチ状態のときに設けられていることを特徴とする遊技機。
【００５９】
特定のリーチ(例えば、いわゆるスーパーリーチ)においては、その後大当たりとなる確率が、他のリーチ(例えばノーマルリーチ)よりも高いことがある。
その結果、特定のリーチとなると大当たりになるかもしれないという遊技者の期待感が増大する。
本手段の構成によれば、遊技者は特に期待感の高まった特定のリーチ状態のときに情報データを送信等し、これと連動して遊技機の動作内容が変更されるから、遊技者に動作内容の変更に関与している印象をさらに強く与えることができる。
【００６０】
＜手段２５．＞
手段１ないし手段２４のいずれかに記載のものにおいて、遊技者によって前記遊技機に送信された前記情報データ、又は遊技者が読み込ませた前記特定の識別情報は、所定回数の特定の遊技状態のときにおいてのみ、前記遊技機の動作内容を変更させる情報データ、又は識別情報として有効であることを特徴とする遊技機。
【００６１】
本手段の構成によれば、遊技者は、一回の遊技において一度、情報データを送信等したとしても、その情報データ等が遊技機の動作内容の変更に対して無効となった後には、情報データを再送信等することとなる。
このように本手段の構成によれば、１回の遊技において遊技者の情報データの送信作業等が複数回生ずるから、遊技者に遊技機の動作内容の変更に関与しているという感触を複数回与えることができ、遊技者の遊技意欲が増大する。
【００６２】
＜手段２６．＞
手段１、手段３ないし手段２５のいずれかに記載のものにおいて、前記遊技機の情報データ受信手段は、無線通信によって、情報データを受信するように構成されたことを特徴とする遊技機。
【００６３】
本手段の構成によれば、情報データ受信手段が、無線通信によって、情報データを受信するので、携帯通信端末との間で通信ケーブルの接続等の煩雑な作業を行う必要がなく、遊技機は携帯情報端末から極めて簡単、かつ安価に情報データを受信することができる。
【００６４】
＜手段２７．＞
手段１、手段３ないし手段２５のいずれかに記載のものにおいて、前記遊技機の情報データ受信手段は、赤外線を媒介して情報データを受信するように構成されたことを特徴とする遊技機。
【００６５】
本手段の構成によれば、情報データ受信手段が、赤外線を媒介として情報データを受信するので、携帯通信端末との間で通信ケーブルの接続等の煩雑な作業を行う必要がなく、遊技機は携帯情報端末から極めて簡単、かつ安価に情報データを受信することができる。
【００６６】
＜手段２８．＞
手段１５ないし手段２７のいずれかに記載のものにおいて、前記遊技機の動作内容の変更が図柄表示装置にて行われる演出の変化であることを特徴とする遊技機。
【００６７】
一般に遊技者は、ゲーム内容が表示される液晶等の図柄表示装置を見ながら遊技していることが多い。
本手段の構成によれば遊技者が注目する図柄表示装置の演出が変化するから、遊技機の動作内容が変化したという印象が大きくなり、遊技者の飽きを効果的に防止することができる。
図柄表示装置にて行われる演出の変化としては、例えば、図柄表示装置に表示されるキャラクタの変更、変動図柄の背景の変更、リーチアクションの変更、確率変動図柄の変更、確変モード中の演出の変更等が挙げられる。
【００６８】
＜手段２９．＞
手段１５ないし手段２８のいずれかに記載のものにおいて、前記携帯通信端末が携帯電話機であることを特徴とする遊技機。
【００６９】
本手段の構成によれば、携帯通信端末が携帯電話機であるから、幅広い遊技者の利用を期待することができる。また、遊技者は、電子メールの閲覧等をするために携帯電話を常時携帯していることが多いから、遊技店に出かける際に携帯し忘れるおそれが減少する。
【００７０】
＜手段３０．＞
手段１ないし手段２９のいずれかに記載のものにおいて、前記情報データ又は前記識別情報は、遊技機の機種毎に異なるように設定されており、遊技機に定められた固有の情報データを受信した場合、又は遊技機に定められた固有の識別情報を読み込んだ場合にのみに前記遊技機の動作内容の変更が行われることを特徴とする遊技機。
【００７１】
本手段の構成によれば、遊技機の機種毎に定められた固有の情報データを受信等した場合にのみ、遊技機の動作内容の変更が行われることとしたから、他の機種用の情報データを受信等した場合には、動作内容の変更が行われない。よって、情報データ等の他機種への流用を防止することができる。
【００７２】
＜手段３１．＞
手段１ないし手段３０のいずれかに記載のものにおいて、前記情報データは、前記遊技機の動作内容を変更するためのパスワード、前記遊技機の動作の変更内容に関するプログラム、又は前記遊技機の動作の変更内容に関するデータであることを特徴とする遊技機。
【００７３】
この構成によれば、携帯通信端末からのパスワード、プログラム、又はデータによって、遊技機の動作内容を変更することができる。
【００７４】
＜手段３２．＞
手段１５ないし手段３１のいずれかに記載のものにおいて、前記遊技機の前記動作内容の変更が、遊技盤に備えられた球の流下に影響を与える可動部材の動作変更であることを特徴とする遊技機。
【００７５】
遊技盤上には、球の流下に影響を与える可動部材として、例えば、風車等が設けられている。これらの可動部材の動作内容を変更させることにより、遊技内容を変更させることができる。例えば、風車に駆動装置を設けこの風車の回り方を変化させることにより、遊技球の流れ方を変えて始動口への入賞確率を向上させることも考えられる。
また、図柄表示装置内に、液晶等の表示部の下方から手前側に張り出すようなステージをもち、このステージ内でいわゆるワープゾーンを通過した遊技球が転動し、転動する遊技球の内のいくつかが始動口に入賞するようになっている遊技機においては、ステージ内に可動部材を設けて、この可動部材の動作を変化させることにより、遊技球の流れ方を変えて始動口への入賞確率を向上させることも考えられる。
【００７６】
＜手段３３．＞
手段１５ないし手段３２のいずれかに記載のものにおいて、前記遊技機の前記動作内容の変更が、遊技盤に備えられた入賞装置への遊技球の入賞に変化を与える可動部材（入賞装置を含む）の動作変更であることを特徴とする遊技機。
【００７７】
入賞装置への入賞に変化を与える可動部材の動作内容を変更させることにより、入賞装置への入賞確率を変化させることができる。例えば、始動口の開閉羽根の開放時間を通常よりも長くすることによって始動口への入賞確率を向上させ、遊技者に有利なゲーム内容とすることが考えられる。
【００７８】
＜手段３４．＞
手段１５ないし手段３３のいずれかに記載のものにおいて、前記遊技機の前記動作内容の変更が装飾目的の可動部材の動作変更であることを特徴とする遊技機。
【００７９】
遊技機には、装飾目的の可動部材として、例えば、特定の遊技状態となるとその一部が可動するキャラクタ人形等が備えられている場合がある。そして、遊技者はこれらの可動部材の動作に注目している場合が多い。
本手段の構成によれば、遊技者に注目されている装飾目的の可動部材の動作変更がされるから、遊技者の興趣を引き、遊技意欲が増大する。
【００８０】
＜手段３５．＞
手段１５ないし手段３４のいずれかに記載のものにおいて、前記遊技機の前記動作内容の変更が前記遊技機における遊技者に利益を与える諸条件の変更であることを特徴とする遊技機。
【００８１】
一般に、遊技機においては、リーチ状態となる確率、大当たり状態となる確率等の各種確率、入賞に対する払い出し個数、大当たり遊技中の大入賞口の開放回数等の遊技者に利益を与える諸条件は、予め定められ、その確率、回数等は固定されている。
本手段の構成によれば、遊技者に利益を与える諸条件が変更されるから、遊技者の遊技意欲を向上させることができる。
【００８２】
＜手段３６．＞
手段１５ないし手段３５のいずれかに記載のものにおいて、前記遊技機の動作内容の変更がリーチ状態となる確率の変更、大当たり状態となる確率の変更、又は入賞に対する払い出し個数の変更であることを特徴とする遊技機。
【００８３】
本手段の構成によれば、遊技機の動作内容の変更により遊技者に有利な遊技状態とすることができ、遊技者の遊技意欲を向上させることができる。
【００８４】
＜手段３７．＞
手段１５ないし手段３６のいずれかに記載のものにおいて、前記遊技機の動作内容の変更が遊技機から出力される音楽内容（サウンド）の変更であることを特徴とする遊技機。
【００８５】
遊技機の音楽は、遊技の雰囲気を構成する重要な要素である。本手段の構成によれば、音楽内容が変化するから、遊技の雰囲気を大きく変えることができる。
【００８６】
＜手段３８．＞
手段１５ないし手段３７のいずれかに記載のものにおいて、前記遊技機の動作内容の変更が遊技機に備えられた発光部材の発光態様の変更であることを特徴とする遊技機。
【００８７】
遊技機には、ＬＥＤ、ランプ、フラッシュ等の発光部材が多く設けられている。本手段の構成によれば、発光部材の発光態様が変更されるから、遊技の期待感等を高め、遊技意欲を増大することができる。
【００８８】
＜手段３９．＞
手段１ないし手段３８のいずれかに記載のものにおいて、
前記受信可能期間又は読取可能期間の残り時間が所定時間以下となると、その残り時間からのカウントダウンの時間表示がされるとともに、前記期間変更手段によって前記受信可能期間又は読取可能期間が延長されると、延長された時間が前記時間表示に加算されることを特徴とする遊技機。
【００８９】
本手段の構成によれば、遊技者は、受信可能期間等の残り時間を把握することができる。また、受信可能期間等が延長された場合には、その延長された時間も加算された残存時間が表示されるから、この場合においても遊技者は、正確な残存時間を把握することができる。
【００９０】
なお、本発明でいう遊技機とは、パチンコ機やスロットマシン、あるいはパチンコ機とスロットマシンとを融合させたものを含む。パチンコ機の基本構成としては、操作ハンドルを備え、その操作ハンドルの操作に応じて球を所定の遊技領域へ発射し、球が遊技領域内の所定の位置に配設された始動入賞口（作動口）に入賞（又は作動ゲートを通過）することを必要条件として、表示装置において動的表示されている識別情報が所定時間後に確定停止されるものが挙げられる。また、特別遊技状態の発生時には、遊技領域内の所定の位置に配設された変動入賞装置（特定入賞口）が所定の態様で開放されて球を入賞可能とし、その入賞個数に応じた有価価値（景品球）のみならず、磁気カードへ書き込まれるデータ等も含む）が付与されるものが挙げられる。
【００９１】
また、スロットマシンの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備えたものが挙げられる。この場合、遊技媒体は、コイン、メダル等が代表例として挙げられる。
【００９２】
また、パチンコ機とスロットマシンとを融合させたものの基本構成としては、複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、或いは、所定時間経過することにより、識別情報の動的表示が停止され、その停止時の確定識別情報が特定識別情報であることを必要条件として、遊技者に有利な特別遊技状態を発生させる特別遊技状態発生手段を備え、遊技媒体として球を使用するとともに、前記識別情報の動的表示の開始に際しては所定数の球を必要とし、特別遊技状態の発生に際しては多くの球が払い出されるように構成されたものが挙げられる。
【発明の効果】
【００９３】
請求項１の発明によれば、識別情報が適正なものと判断された場合には、この判断時以降において延長期間が新たに設定されないようしたから、不要な延長期間が設定されてゲームが中断することを防止できる。
【図面の簡単な説明】
【００９４】
【図１】第１実施形態の遊技機と、この遊技機と、遊技情報の送受信が可能な携帯電話機と、この携帯電話機とインターネットを介して、接続されている遊技情報の管理を行う管理サーバの概念図である。
【図２】第１実施形態に係る遊技機の概略図である。
【図３】表示部の表示例を説明する概念図である。
【図４】表示部に表示されうる図柄の種類を説明する図である。
【図５】ノーマルリーチの演出を説明する図である。
【図６】珊瑚礁リーチの演出を説明する図である。
【図７】マリンちゃんリーチの演出を説明する図である。
【図８】波紋リーチの演出を説明する図である。
【図９】サムリーチの演出を説明する図である。
【図１０】演出内容の変更後、表示部に表示されうる図柄の種類を説明する図である。
【図１１】スペシャルノーマルリーチの演出を説明する図である。
【図１２】スペシャル珊瑚礁リーチの演出を説明する図である。
【図１３】スペシャルマリンちゃんリーチの演出を説明する図である。
【図１４】スペシャル波紋リーチの演出を説明する図である。
【図１５】スペシャルサムリーチの演出を説明する図である。
【図１６】リーチ種別決定カウンタの概念を説明する図表である。
【図１７】第１リーチ予告の演出を説明する図である。
【図１８】第２リーチ予告の演出を説明する図である。
【図１９】リーチ予告種別決定カウンタの概念を説明する図表である。
【図２０】通信制御基板のハードウェア構成を示すブロック図である。
【図２１】携帯電話機の正面図である。
【図２２】携帯電話機のハードウェア構成を示すブロック図である。
【図２３】管理サーバのハードウェア構成を示すブロック図である。
【図２４】遊技者データベースの概念を説明する図表である。
【図２５】ポイントテーブルの概念を説明する図表である。
【図２６】パスワードテーブルの概念を説明する図表である。
【図２７】各種カウンタの概念を説明する図表である。
【図２８】特別電動役物制御ルーチンを説明するフローチャートである。
【図２９】特別電動役物制御ルーチンの図２８の続き部分を説明するフローチャートである。
【図３０】変動開始処理ルーチンを説明するフローチャートである。
【図３１】第１リーチ予告動作処理ルーチンを説明するフローチャートである。
【図３２】第２リーチ予告動作処理ルーチンを説明するフローチャートである。
【図３３】リーチ動作処理ルーチンを説明するフローチャートである。
【図３４】スペシャルリーチ動作処理ルーチンを説明するフローチャートである。
【図３５】リーチ動作処理ルーチンを説明するフローチャートである。
【図３６】特別図柄表示装置におけるパスワード入力メッセージの一例である。
【図３７】遊技者がパスワードを送信している状態の概念図である。
【図３８】再抽選処理ルーチンを説明するフローチャートである。
【図３９】遊技情報記録処理ルーチンを説明するフローチャートである。
【図４０】送受信メインルーチンを説明するフローチャートである。
【図４１】パスワード受信処理ルーチンを説明するフローチャートである。
【図４２】遊技情報送信処理ルーチンを説明するフローチャートである。
【図４３】遊技情報作成・送信処理ルーチンを説明するフローチャートである。
【図４４】携帯電話機におけるメッセージの表示例である。
【図４５】遊技情報送信用の送信バッファのフォーマット、及び遊技情報の格納例を示す概念図である。
【図４６】携帯電話機におけるメッセージの表示例である。
【図４７】特別図柄表示装置におけるメッセージの表示例である。
【図４８】サーバへの送信処理ルーチンを説明するフローチャートである。
【図４９】遊技情報送信用の送信バッファのフォーマット、及び遊技情報の格納例を示す概念図である。
【図５０】遊技情報処理ルーチンを説明するフローチャートである。
【図５１】ポイント加算処理ルーチンを説明するフローチャートである。
【図５２】第２実施形態のパスワード受信処理ルーチンを説明するフローチャートである。
【図５３】図柄変動装置を示す概略図である。
【図５４】キャラクタ部の内部構造を示す概略構成図
【図５５】第３実施形態に係る遊技機の概略図である。
【図５６】第３実施形態の通信制御基板のハードウェア構成を示すブロック図である。
【図５７】遊技者がバーコードを遊技機に読み込ませている状態の概念図である。
【図５８】第３実施形態のパスワード受信処理ルーチンを説明するフローチャートである。
【図５９】第４実施形態に係る遊技機の概略図である。
【図６０】第４実施形態の通信制御基板のハードウェア構成を示すブロック図である。
【図６１】遊技者がパスワードを送信している状態の概念図である。
【図６２】パスワード受信可能期間の概念を示す図である。
【図６３】パスワード受信可能期間の概念を示す図である。
【図６４】パスワード受信可能期間の概念を示す図である。
【図６５】第４実施形態のパスワード受信処理ルーチンを説明するフローチャートである。
【発明を実施するための形態】
【００９５】
＜全体の構成＞
以下、本発明の一実施形態（第１実施形態）について図面を参照しつつ説明する。図１は、本発明の一実施形態である遊技機１と、この遊技機１と、情報等の送受信が可能な携帯電話機（本発明の携帯通信端末）３と、この携帯電話機３とインターネット５を介して、接続されている遊技情報の管理を行う管理サーバ７の概念を示している。なお、この管理サーバ７は、例えば遊技機の製造会社等に設置されるが、その設置場所、設置方法等は特に限定されない。
遊技機１からは、遊技機１の大当たり回数等の情報が携帯電話機３に送信され、この情報が携帯電話機３からインターネット５を介して、管理サーバ７に送信されるようになっている。
【００９６】
また、管理サーバ７では、携帯電話機３からの大当たり回数等の遊技情報を処理して、その処理結果が所定の条件を満たすと、パスワードをインターネット５を介して、携帯電話機３に送信するようにされている。そして、このパスワードが所定のタイミングに設けられたパスワード受信可能期間内に携帯電話機３から遊技機１に送信されると、パスワードによって、遊技機１の演出内容が変更されるようになっている。そして、このパスワード受信可能期間は遊技者の確認ボタン９０Ａ、延長ボタン９０Ｂの操作（期間変更手段に相当）により短縮、削除又は延長されるようになっている。
なお、本実施形態においては、パスワードが本発明の情報データに相当するため、以下の説明におけるパスワード受信手段、パスワード送信手段、パスワード記憶手段等は、それぞれ本発明における情報データ受信手段、情報データ送信手段、情報データ記憶手段等に相当することとなる。
また、本実施形態においては、遊技機１の可変表示装置の演出内容を変更する構成となっているため、以下の説明における演出内容変更手段が本発明における遊技機１の動作内容変更手段に相当する。
【００９７】
＜遊技機の構成＞
図２に示すように遊技盤２１の中央部分には、可変表示装置としての特別図柄表示装置２３が組込まれている。この特別図柄表示装置２３は、液晶ディスプレイ（ＬＣＤ）よりなる表示部２３Ａを備えており、ここに複数の図柄列が表示される。図３に示すように、本実施形態では、これらの図柄列として上図柄列２５、中図柄列２７及び下図柄列２９の３つの図柄列が表示されるが、それ以外の数の図柄列が表示されてもよい。なお、前記表示部２３Ａには、背景画面等が適宜表示されるようになっている。
【００９８】
各図柄列２５，２７，２９は、基本的には、図３，図４に示すように、複数種類で複数個の図柄３１Ａ〜３１Ｉと、複数個の図柄３１Ｋとによって構成されている。各図柄３１Ａ〜３１Ｉは、各種「海の生物」のキャラクタと、（１）〜（９）の数字との組合せによって構成されている。より詳しくは、図柄３１Ａは（１）の数字及び「タコ」のキャラクタの組合せによって構成されている。また、図柄３１Ｂは（２）の数字及び「ハリセンボン」のキャラクタ、図柄３１Ｃは（３）の数字及び「カメ」のキャラクタ、図柄３１Ｄは（４）の数字及び「サメ」のキャラクタ、図柄３１Ｅは（５）の数字及び「エビ」のキャラクタ、図柄３１Ｆは（６）の数字及び「アンコウ」のキャラクタ、図柄３１Ｇは（７）の数字及び「セイウチ」のキャラクタ、図柄３１Ｈは（８）の数字及び「望遠魚」のキャラクタ、図柄３１Ｉは（９）の数字及び「カニ」のキャラクタの組合せによって、それぞれ構成されている。そして、（１）〜（９）の数字は、上図柄列２５については降順に、中・下図柄列２７、２９については昇順にそれぞれ配列されている。これらの図柄３１Ａ〜３１Ｉは、特別遊技図柄としての大当たり図柄、外れリーチ図柄及び外れ図柄のいずれかになりうる（これらについては後述する）。
【００９９】
また、図柄３１Ｋは種々の「貝」のマークによって構成されており、前記図柄３１Ａ〜３１Ｉ間に配置される。さらに、図柄３１Ｋは、外れ図柄のみとなりうる。
【０１００】
図３（ａ）に示すように、通常変動時には、あたかも海中を泳ぐように複数の図柄３１Ａ〜３１Ｉ、３１Ｋが横方向（右から左へ移動するように）にスクロール表示される。
【０１０１】
また、図２に示すように、特別図柄表示装置２３の上部には普通図柄表示装置３３が併設されている。普通図柄表示装置３３は、発光ダイオード（ＬＥＤ）よりなる４つの保留ランプ３５と、普通図柄表示部たるＬＥＤよりなる７セグ表示部３７とを備えている。
【０１０２】
さらに、特別図柄表示装置２３の左右両側には一対の通過ゲート３９が配設されている。通過ゲート３９を遊技球４１が通過すると普通図柄表示装置３３が作動する。本実施形態では、普通図柄表示装置３３は、「０」〜「９」までの数字を可変表示して７セグ表示部３７にセグメント表示させ、その数字が所定値（本実施の形態では「７」）で停止した場合に、始動口４３の羽根４３Ａを所定秒数開放させる。この開放により、始動口４３への入賞が比較的容易なものとなる。普通図柄表示装置３３は、遊技球４１の通過ゲート３９の通過回数を４回まで記憶することができ、保留ランプ３５でその保留数を表示する。従って、４つの保留ランプ３５が点灯している状態で遊技球４１が通過ゲート３９を通過してもカウントされず、保留ランプ３５が点灯している限り、遊技球４１が通過ゲート３９を通過しなくとも保留数に応じた回数だけ普通図柄表示装置３３は作動するようになっている。
【０１０３】
特別図柄表示装置２３の表示部２３Ａでは、各図柄列２５，２７，２９の図柄変動（スクロール変動）が、遊技球４１の始動口４３への入賞に基づいて開始させられる。また、大当たり図柄、外れリーチ図柄及び外れ図柄の中から１つが選択され、これが停止図柄として設定される。停止図柄とは、各図柄列２５，２７，２９が図柄変動を停止したときに表示される図柄である。本実施形態では、図柄変動は、上図柄列２５、下図柄列２９、中図柄列２７の順に停止させられるが、これはあくまでも一例にすぎず、別の順序で停止するようにしてもよい。
【０１０４】
図３（ｂ）は、表示部２３Ａにおける大当たり時の画面を示す図である。同図に示すように、大当たり図柄は、リーチ遊技状態（リーチ状態）を経た後、遊技者に有利な特別遊技状態としての大当たり状態を発生させるための図柄である。詳しくは、全ての図柄列２５，２７，２９の変動が停止させられたとき、表示されている図柄３１Ａ〜３１Ｉの組合せが、予め定められた大当たりの組合せ、すなわち、同一種類の図柄３１Ａ〜３１Ｉが大当たりラインに沿って並んだ組合せとなる場合（例えば（７）、（７）、（７）や（３）、（３）、（３）等）であり、当該組合せを構成する図柄が「大当たり図柄」となる。
【０１０５】
本実施形態では、中央の縦ライン（図３（ｂ）参照）、左右の縦ライン、及び斜め（右上がり、右下がり）の２本のクロスラインによって大当たりラインが構成されている（５ラインと称される）。大当たりの組合せが成立すると、特別電動役物が作動し（大入賞口４５が開かれ）、遊技者にとって有利な大当たり状態の到来、すなわち、より多くの景品球を獲得することが可能となる。
【０１０６】
また、例えば図５〜図９に示すように、リーチ状態とは、大当たり直前の状態をいう（もちろん大当たり状態に至らない場合もある）。リーチ状態には、下図柄列２９の図柄変動が、大当たりライン上において上図柄列２５の停止図柄と同一種類の図柄で停止する状態が含まれる。例えば図５に示す例では、中央の縦ラインの大当たりライン上において、上図柄列２５及び下図柄列２９が同一の図柄３１Ｇで停止しており、中図柄列２７の図柄３１Ａ〜３１Ｉ、３１Ｋが未だ変動中の状態を示している。この場合において、中図柄列２７の大当たりライン上における停止図柄が上下図柄列２５，２９と同一の図柄（図では図柄３１Ｇ）であることを条件に、大当たり状態が発生させられる。
【０１０７】
上記のリーチ状態には、中図柄列２７の図柄変動が、最終的に上・下両図柄列２５，２９の停止図柄と同一種類の図柄（大当たり図柄）で停止して大当たり状態になるもの以外にも、異なる種類の図柄（これを「外れリーチ図柄」という）で停止して、大当たり状態とならないもの（以下、「外れリーチ状態」という）が含まれる。
【０１０８】
リーチ状態においては、種々のリーチパターンが設定されている。リーチパターンとしては、中図柄列２７の図柄３１Ａ〜３１Ｉ、３１Ｋが単にスクロールする「ノーマルリーチ（図５参照）」の他に、背景に珊瑚礁３２Ａが表示される「珊瑚礁リーチ（図６参照）」及び、キャラクタとして水着の女の人３２Ｂ（名前：マリンちゃん）が表示される「マリンちゃんリーチ（図７参照）」、背景が波紋の模様３２Ｃに変化する「波紋リーチ（図８参照）」、キャラクタとして男の人３２Ｄ（名前：サム）が表示される「サムリーチ（図９参照）」等が設定されている。これらリーチパターンは、上記「ノーマルリーチ」を除いて、「スーパーリーチ」、「プレミアムリーチ」に分類することができる。本実施形態では、「珊瑚礁リーチ」、「マリンちゃんリーチ」及び「波紋リーチ」が「スーパーリーチ」を、「サムリーチ」が「プレミアムリーチ」を構成している。
【０１０９】
「スーパーリーチ」の動作が開始された場合には、「ノーマルリーチ」の場合に比べて、大当たり状態が発生する期待値（大当たり期待値）が高くなるようになっている。さらに、「プレミアムリーチ」は、滅多に見ることのできないリーチとして位置づけられているものであって、このリーチが演出表示された場合には、極めて高い確率で大当たり状態が発生しうるよう構成されている。
【０１１０】
これらのリーチパターンは、図１６に示すリーチ種別決定カウンタＣＶに基づいて決定される。
【０１１１】
本実施形態においては、さらに、携帯電話機３からのパスワードを遊技機１が受信することによって、上記各リーチ状態での演出が変化するようにされている。その一例として、背景の変更及びキャラクタの変更が行われる構成となっている。背景の変更では、例えば、図１１〜図１５に示すように、通常の背景に替えて、海草３４が覆い茂った海の背景と差し替えて表示されるスペシャルリーチとなるようになっている。なお、図１１は「スペシャルノーマルリーチ」の場合、図１２は「スペシャル珊瑚礁リーチ」の場合、図１３は「スペシャルマリンちゃんリーチ」の場合、図１４は「スペシャル波紋リーチ」の場合、図１５は「スペシャルサムリーチ」の場合を示している。
また、キャラクタの変更は、例えば、キャラクタを海の生物に替えて、図１０に示す各種犬のキャラクタ３８Ａ〜３８Ｉに変化させるようになっている（図１１〜図１５参照）。
【０１１２】
次に、所定の遊技状態となることを事前に示唆する（いわゆる予告する）遊技状態示唆手段について説明する。なお、遊技状態示唆手段としては、図柄がリーチ状態となることを示唆する手段、図柄が大当たり図柄となることを示唆する手段、その他の遊技状態を示唆する手段があるが、本実施形態では、リーチ状態となることを事前に示唆するリーチ変動示唆手段（以下、単に「リーチ予告」という）をその代表例として説明する。
【０１１３】
リーチ予告には、「ノーマルリーチ」となる可能性があることを予告する第１リーチ予告と、「スーパーリーチ」あるいは「プレミアムリーチ」となる可能性があることを予告する第２リーチ予告とがある。
【０１１４】
第１リーチ予告では、図１７に示すように、表示部２３Ａの下方から上方に向かって大量の泡５０が移動するように表示される。これは、あたかも海底から海面に向かって空気の泡が上昇していくように演出表示されるものである。また、第２リーチ予告は、図１８に示すように、大量の魚の群れ５３（以下、「魚群」という）が右から左へ泳ぎながら移動するように演出表示される。より詳しくは、図１８は中央の縦ラインの大当たりライン上において、上図柄列２５及び下図柄列２９が同一の図柄３１Ｇで停止しており、中図柄列２７の図柄３１Ａ〜３１Ｉ、３１Ｋが未だ変動中の状態である。この状態より、魚群５３が上・中・下図柄列２５，２７，２９と同方向（図１８において、右から左に）移動するように表示されるのである。
【０１１５】
そして、これらの第２リーチ予告発生の有無と第１リーチ予告発生の有無により複数種類のリーチ予告パターンを作り出すことができる。より詳しくは、リーチ予告パターン０としてリーチ予告無し、リーチ予告パターン１として第１リーチ予告のみ、リーチ予告パターン２として第１リーチ予告＋第２リーチ予告表示というように３種類のリーチ予告パターンが設けられている。
【０１１６】
これらのリーチ予告パターンは、図１９に示すリーチ予告種別決定カウンタＣＹに基づいて決定される。本実施形態では、リーチ予告パターンに応じて、大当たり状態発生の期待値は、異なるものとなっている。
【０１１７】
遊技球４１の始動口４３への入賞に基づいて各図柄列２５，２７，２９の図柄変動が開始させられることはすでに説明したが、この変動表示中にさらに遊技球４１が始動口４３に入賞した場合には、その分の変動表示は、現在行われている変動表示の終了後に行われる。つまり、変動表示が待機（保留）される。この保留される変動表示の最大回数は、遊技機の機種毎に決められている。本実施の形態では保留最大回数が４回に設定されているが、これに限られるものではない。
【０１１８】
図２に示すように、表示装置２３において、表示部２３Ａの上方には、発光ダイオード（ＬＥＤ）からなる保留ランプ５４が組み込まれている。保留ランプ５４の数は、前述した保留最大回数と同じ（この場合４個）である。保留ランプ５４は、変動表示の保留毎に点灯させられ、その保留に対応した変動表示の実行に伴い消灯させられる。このほかにも、遊技機１の複数箇所には、遊技効果を高めるための各種ランプが取り付けられている。これらのランプは、遊技の進行に応じて点灯状態（消灯、点灯、点滅等）が変えられる。さらに、遊技機１には、遊技の進行に応じて効果音を発生する図示しないスピーカが設けられている。
【０１１９】
また、遊技者の操作に応じて変化する遊技機１の遊技状態を検出するべく、本実施形態では、遊技盤２１には、スルースイッチ５５、始動口用スイッチ５７、Ｖゾーン用スイッチ５９及びカウントスイッチ６１等がそれぞれ設けられている。スルースイッチ５５は、遊技球４１の通過ゲート３９の通過を検出し、始動口用スイッチ５７は、遊技球４１の始動口４３への入賞を検出し、Ｖゾーン用スイッチ５９は、遊技球４１の大入賞口４５のうちのＶゾーンへの入賞を検出し、カウントスイッチ６１は、遊技球４１の大入賞口４５への入賞を検出する。
【０１２０】
本実施形態では、各スイッチ５５，５７，５９，６１の検出結果に基づき大入賞口用ソレノイド６３、特別図柄表示装置２３（表示部２３Ａ）、各保留ランプ３５，５４、スピーカ等をそれぞれ駆動制御するために制御装置６５が設けられている。
【０１２１】
制御装置６５は、遊技機１の主制御を行うメイン基板と、音量調整基板、ＬＥＤ基板、払い出し制御基板等の各種サブ基板とから構成されている。また、制御装置６５には、サブ基板として図柄表示制御基板６５Ａが設けられ、制御装置６５のメイン基板や後述する通信制御基板８０から入力される信号に基づいて特別図柄表示装置２３を駆動制御する。
【０１２２】
通信制御基板８０では、赤外線発光部９１及び赤外線受光部９３を介して携帯電話機３との間で行われる通信処理の制御が行われる。通信制御基板８０の具体的構成については後で詳細に説明する。各制御基板は、読出し専用メモリ（ＲＯＭ）、中央処理装置（ＣＰＵ）、ランダムアクセスメモリ（ＲＡＭ）等を備えている。ＲＯＭは所定の制御プログラムや初期データを予め記憶しており、ＣＰＵはＲＯＭの制御プログラム等に従って各種演算処理を実行する。ＲＡＭはＣＰＵによる演算結果を一時的に記憶する。
【０１２３】
また、本実施形態においては、制御装置６５による制御の１つとして、遊技モード切替制御がある。本実施形態においては、基本的には２つのモードが用意されている。即ち、例えば３００分の１程度の低確率で大当たり遊技状態を発生させる通常モードと、その約５倍である６０分の１程度の高確率で大当たり遊技状態を発生させる高確率モード（以降、便宜上「確変モード」と称する）とがある。
【０１２４】
なお、一般的に、確変モードの概念としては、（１）７セグ表示部３７に「７」が表示される確率を通常時に比べて高め、始動口４３の羽根４３Ａを開放させる機会を増やすこと、（２）７セグ表示部３７における数字の変動時間を短くすること、（３）羽根４３Ａの開放時間を長くすること（及び／又は入賞個数を多くすること）、（４）特別図柄表示装置２３の表示部２３Ａの図柄３１Ａ〜３１Ｉ、３１Ｋの変動時間を短くすること、（５）大当たり確率が通常モードに比べて高くなること等が挙げられるが、本実施形態における確変モードにおいては、（５）に加えて、（１）〜（４）の全ての事項が実行される。
【０１２５】
遊技機１の電源投入時においては、通常モードに設定される。また、その後は、大当たり遊技状態となった際において、最終的に停止表示される図３１Ａ〜３１Ｉに関連して次回の遊技モードが示唆（報知）される。より詳しくは、大当たり図柄が偶数の図柄３１Ｂ、３１Ｄ、３１Ｆ、３１Ｈのいずれかの場合には、次回の遊技において通常モードに設定されることとなる。また、大当たり図柄が奇数の図柄３１Ａ、３１Ｃ、３１Ｅ、３１Ｇ、３１Ｉのいずれかの場合には、次回の遊技において、特別モードたる確変モードに設定されることとなる。
【０１２６】
また、制御装置６５の出力ポートには、外部接続端子板７０が接続されている。また、外部接続端子板７０は、ホールコンピュータ（管理コンピュータ）に接続されるホールコンピュータ用の出力端子７０Ａ〜Ｉと、通信制御基板８０に接統される通信制御基板用の出力端子７０ａ〜７０ｉとを備えている。
【０１２７】
ここで、出力端子７０Ａ及び７０ａは、遊技球４１が始動口４３へ入賞することにより特別図柄表示装置２３における図柄変動が発生したことを示す「図柄変動信号」を出力する。
【０１２８】
また、出力端子７０Ｂ及び７０ｂは、大当たりの発生中であることを示す「大当たり信号」を出力する。
【０１２９】
また、出力端子７０Ｃ及び７０ｃは、ノーマルリーチの発生中であることを示す「ノーマルリーチ信号」を出力する。
【０１３０】
また、出力端子７０Ｄ及び７０ｄは、珊瑚礁リーチの発生中であることを示す「珊瑚礁リーチ信号」を出力する。
【０１３１】
また、出力端子７０Ｅ及び７０ｅは、マリンちゃんリーチの発生中であることを示す「マリンちゃんリーチ信号」を出力する。
【０１３２】
また、出力端子７０Ｆ及び７０ｆは、波紋リーチの発生中であることを示す「波紋リーチ信号」を出力する。
【０１３３】
また、出力端子７０Ｇ及び７０ｇは、サムリーチの発生中であることを示す「サムリーチ信号」を出力する。
【０１３４】
また、出力端子７０Ｈ及び７０ｈは、球発射装置によって遊技球４１の発射が行われているか否かを示す「発射スイッチ信号」を出力する。尚、「発射スイッチ信号」がオンである場合は、遊技球４１が発射されている、言い換えれば、遊技が行われていることを、オフである場合は遊技球４１の発射が中止されている、言い換えれば、遊技が中止されていることをそれぞれ示している。
【０１３５】
また、出力端子７０Ｉ及び７０ｉは、遊技機１にパスワードが受信され、そのパスワードが遊技機１に記憶されたパスワードと一致していることを示すパスワード一致信号を出力する。
【０１３６】
通信制御基板８０は、遊技者が所持する携帯電話機３との間で赤外線通信を行うための電子制御回路を搭載した回路基板となっている。詳細には、図２０のブロック図に示すように、インタフェース回路（Ｉ／Ｆ）８１と、ＣＰＵ８３と、ＲＯＭ８５と、ＲＡＭ８７と、不揮発性メモリ８８とを備えて構成され、遊技盤２１上に設けられた報知手段としての報知ランプ８９と、データ送信手段（情報送信手段）としての赤外線発光部９１と、パスワード受信手段としての赤外線受光部９３とが接続されている。
【０１３７】
報知ランプ８９は、遊技情報の送信が可能となったことを遊技者に視覚的に報知するためのランプである。報知ランプ８９は、送信可能な遊技情報が有る場合に点灯し、無い場合には消灯されるようになっている。また、赤外線発光部９１から遊技情報の送信が行われている間は報知ランプ８９が点滅し、送信が終了すると消灯するようにされており、遊技者に遊技情報の送信状態が視覚的に確認できるようになっている。
【０１３８】
確認ボタン９０Ａは、遊技機１の前枠における下受皿の右側方に配置され（図３７参照）、後述するように、遊技者の選択によって、パスワード受信可能期間を短縮することができる期間変更手段として機能する。
すなわち、後に詳述するようにパスワードの送信を望まない遊技者は確認ボタン９０Ａを押さないという選択をすることにより、確認ボタン９０Ａを押した場合よりもパスワード受信可能期間を短縮することができる。
【０１３９】
延長ボタン９０Ｂは、同じく遊技機１の前枠における下受皿の右側方に配置されており（図３７参照）、後述するように、所定の期間内にパスワードを送信し損ねた遊技者、例えば、携帯電話機３の操作に戸惑った遊技者に、パスワードの送信を行うための追加の時間を与えるボタンであり、パスワード受信可能期間を延長することができる期間変更手段として機能する。この延長ボタン９０Ｂが押された場合にのみパスワードの送信を行うための追加の時間が与えられるようになっている。なお、ここでは確認ボタン９０Ａ、延長ボタン９０Ｂをボタンとしているが、操作レバー、タッチパネル等、遊技者が外部より操作することができる構成であればよい。
【０１４０】
赤外線発光部９１は、携帯電話機３に対して遊技情報等を赤外線信号として送信するための発光デバイスである。
【０１４１】
赤外線受光部９３は、携帯電話機３から送信されるパスワードの赤外線信号を受信するための受光デバイスである。尚、赤外線信号は指向性を有しているため、携帯電話機３の赤外線受光部２０８及び赤外線発光部２０９を、遊技機１側の赤外線発光部９１及び赤外線受光部９３に対向させることによって、遊技機１と携帯電話機３とが互いに通信相手として特定される。また、赤外線発光部９１から前方（遊技者側）に向かって赤外線信号が出力されるため、隣接配置される遊技機１同士で赤外線信号が干渉することはない。
【０１４２】
インタフェース部８１は、通信線を介して外部接続端子板７０の通信制御基板８０用の出力端子７０ａ〜ｉと接続され、端子よりそれぞれ出力される「図柄変動信号」、「大当たり信号」、「ノーマルリーチ信号」、「珊瑚礁リーチ信号」、「マリンちゃんリーチ信号」、「波紋リーチ信号」、「サムリーチ信号」、「発射信号スイッチ信号」を入力し、かつ「パスワード一致信号」を出力する電子回路である。
【０１４３】
ＣＰＵ８３は、通信制御基板８０各部を制御するための制御装置であり、ＲＯＭ８５から制御プログラムを読み出して実行する。
【０１４４】
ＲＯＭ８５は、通信制御基板８０各部を制御するための制御プログラムや各種のデータ等を記憶する読み出し専用の記憶媒体である。また、ＲＯＭ内には、パスワード記憶領域８５Ａが設けられ、後述する遊技機１の演出内容を変化させるためのパスワード、本実施形態では「１２３４５」というパスワードが記憶されている。
【０１４５】
ＲＡＭ８７は、ＣＰＵ８３によって使用されるワーク領域、後述する変動回数ＨＣ、ノーマルリーチ情報カウンタＮＣ、珊瑚礁リーチ情報カウンタＳＣ、マリンちゃんリーチ情報カウンタＭＣ、波紋リーチ情報カウンタＨＡＣ、サムリーチ情報カウンタＳＡＣ、大当たり情報カウンタＯＣを記録する遊技情報データ記憶領域８７Ａ、後述するサーバ７から配信され、遊技者の携帯電話機３から送信されたパスワードを記憶するパスワード記憶領域８７Ｂ、及び遊技情報送信用の送信バッファ８７Ｃを有する書き換え可能な記憶媒体である。
【０１４６】
不揮発性メモリ８８は、遊技情報カウンタ８８Ａを不揮発的に記憶するための書き込み可能な不揮発性の記憶媒体である。不揮発性メモリ８８に記憶される遊技情報カウンタ８８Ａの値は、例えば、変動回数に対応して、１ずつカウントアップするものであって遊技機１の電源遮断後も記憶保持される。
【０１４７】
＜携帯通信端末の構成＞
次に、遊技機１との間で赤外線通信が行われる携帯電話機３の構成について、図２１及び図２２を参照しつつ説明する。携帯電話機３は、図２１の正面図に示すように、ケース２０２、キー操作部２０４、液晶パネル（表示部）２０６、遊技機１からの情報信号を受信する情報受信手段としての赤外線受光部２０８、及びパスワードの情報信号を遊技機１に送信するパスワード送信手段としての赤外線発光部２０９から構成されている。キー操作部２０４は、ケース２０２の正面ケース部２０３に配設されたもので、十字キー、電源キー、ファンクションキー、オンフックキー（開始キー）、クリアキー、及び文字・数字キー（テンキー）等から構成されている。液晶パネル２０６は、ケース２０２に形成された開口部２０２ａの内側に配置されている。赤外線受光部２０８は、赤外線発光部２０９とともに、ケース２０２の左側部２０２ｂに配置されている。
【０１４８】
次に、携帯電話機３の電気回路構成につき図２２のブロック図を参照して説明する。携帯電話機３は、液晶パネル２０６、赤外線受光部２０８、及び赤外線発光部２０９に加えて、無線部２１０、音声回路２１２、レシーバー２１４、マイク２１６、送受信アンテナ２１８、不揮発性メモリ２２０、制御部（マイクロコンピュータ）２２２及び二次電池２２４を有する。無線部２１０は、制御部２２２により制御されて、送受信アンテナ２１８を通して電波を媒体として基地局に対して送受信する。音声回路２１２は、無線部２１０から制御部２２２を通して出力された受信信号をレシーバー２１４に出力するとともに、マイク２１６から出力された音声信号を送信信号として制御部２２２を通して無線部２１０に出力する。
【０１４９】
レシーバー２１４は、音声回路２１２から出力された受信信号を受信音声に変換して出力し、マイク２１６は、操作者から発せられた送信音声を音声信号に変換して音声回路２１２に出力する。不揮発性メモリ２２０は、各種データや、各種のプログラムを不揮発的に記憶する。二次電池２２４は、各回路に電力を供給する。制御部２２２は、ＣＰＵ，ＲＯＭ及びＲＡＭを含むマイクロコンピュータ等から構成されたもので、電話の発着信処理、電子メールの作成送受信処理、インターネット処理を行う。なお、制御部２２２は、管理サーバ７へ通信ネットワークを介して情報信号及び遊技者の識別情報等を送信する情報送信手段、及び管理サーバ７から送信されたパスワードを受信するパスワード受信手段として機能する。
【０１５０】
また、遊技機１に遊技情報の送信を要求する送信要求信号の要求信号送信用プログラム、遊技情報の受信を行うための遊技情報受信用プログラム、及び管理サーバ７から送信されたパスワードを遊技機１に送信するためのパスワード送信用プログラムは、例えば、遊技機メーカー等によって運営されるインターネット・ホームページ等からダウンロードして、不揮発性メモリ２２０に記憶される。また、遊技者特定情報としての遊技者の氏名情報を含む遊技者ＩＤも不揮発性メモリ２２０に記憶される。
【０１５１】
尚、遊技者ＩＤは、遊技機メーカ等によって運営されるインターネット・ホームページ等において会員登録をすると与えられるものであり、例えば「Ｘ００１２３４５」のように与えられる。ここで「Ｘ００」は遊技者ＩＤであることを示すヘッダ、「１２３４５」は会員番号である。
【０１５２】
＜管理サーバの構成＞
次に管理サーバ７について詳細に説明する。管理サーバ７は、インターネット５を介して、遊技者の所有する携帯電話機３と接続可能になっている。図２３は遊技機情報の管理サーバ７の構成を示すブロック図である。図２３に示すように、遊技機情報の管理サーバ７には、管理サーバ７の制御を司るＣＰＵ１００が備えられ、ＣＰＵ１００には、各種のデータを一時的に記憶するＲＡＭ１０３と、ＢＩＯＳ等を記憶したＲＯＭ１０５と、データの受け渡しの仲介を行うＩ／Ｏバス１０７とが接続されている。Ｉ／Ｏバス１０７には、ハードディスク装置１０９が接続され、このハードディスク装置１０９には、後に詳述する遊技者データベース記憶エリア１１１、ポイントテーブル記憶エリア１１２、パスワード記憶エリア１１３、その他の情報記憶エリア１１４、プログラム記憶エリア１１５が設けられている。
【０１５３】
また、Ｉ／Ｏバス１０７には、ビデオコントローラ１１６と、キーコントローラ１１７と、ＬＡＮカード１１９とが接続され、ビデオコントローラ１１６にはＣＲＴ１２１が接続され、キーコントローラ１１７にはキーボード１２３が接続され、ＬＡＮカード１１９にはルータ１２５が接続され、ルータ１２５はインターネット５に接続されている。
【０１５４】
ハードディスク装置１０９に設けられている遊技者データベース記憶エリア１１１には、遊技者の個別の情報を記憶した遊技者データベース１３０（図２４）が記憶されている。この遊技者データベース１３０は、遊技機の機種毎に別々に作成されている。例えば図２４は、Ａ物語という遊技機の機種と、Ｂ物語という遊技機の機種の２種類がある場合の遊技者データベース１３０を示しているが、図２４（Ａ）（Ｂ）のように機種毎にそれぞれ異なる遊技者データベースが作成されている。遊技者データベース１３０には、遊技機ＩＤ（機種名番号）、機種名が記憶されるとともに、遊技者ＩＤに対応して、遊技者名、遊技者の電子メールアドレス、遊技者の獲得ポイント数、パスワードの獲得の有無のデータが記憶されている。
尚、遊技機ＩＤ（本発明の遊技機識別情報に相当する）は、「機種名番号＋遊技機固有番号」という構造をしており、例えば本実施形態では、遊技機ＩＤ「Ａ０１１２３４５」の「Ａ０１」が機種名「Ａ物語」を表しており、遊技機ＩＤ「Ｂ０１１２３４５」の「Ｂ０１」が機種名「Ｂ物語」を表している。そして「Ａ０１」又は「Ｂ０１」に続く数字は、遊技台の識別のための遊技機固有番号である。以下、本実施形態においては、Ａ物語という遊技機の機種と、Ｂ物語という遊技機の機種の２種類があるものとして説明する。
【０１５５】
ポイントテーブル記憶エリア１１２には、ポイントテーブル１３２が記憶されている。ポイントテーブル１３２には、遊技の状態に対応して与えられるポイント数が記憶されている。図２５のポイントテーブル１３２は、Ａ物語についてのポイントテーブル１３２の例を示している。このポイントテーブル１３２では、図柄変動が行われた場合、言い換えれば始動口４３に入賞した場合には、図柄変動１回につき「１」ポイントが付与され、大当たりが発生した場合には、大当たり１回につき「１０」ポイントが付与され、ノーマルリーチが発生した場合には、ノーマルリーチ１回につき「２」ポイントが付与され、珊瑚礁リーチが発生した場合には、珊瑚礁リーチ１回につき「５」ポイントが付与され、マリンちゃんリーチが発生した場合には、マリンちゃんリーチ１回につき「５」ポイントが付与され、波紋リーチが発生した場合には、波紋リーチ１回につき「５」ポイントが付与され、サムリーチが発生した場合には、サムリーチ１回につき「７」ポイントが付与される。
【０１５６】
パスワード記憶エリア１１３には、図２６に示すパスワードテーブル１３４が記憶されている。パスワードテーブル１３４には、機種毎に対応して定められたパスワードとこのパスワードの取得条件が記憶されている。例えば、図２６では、機種名「Ａ物語」について、ポイント数が１０００以上となるとパスワードが取得され、このパスワードが「１２３４５」であることを示し、機種名「Ｂ物語」について、ポイント数が２０００以上となるとパスワードが取得され、このパスワードが「９８７６５」であることを示している。
【０１５７】
その他の情報記憶エリア１１４には、上記以外の他の任意のデータが記憶され、プログラム記憶エリア１１５には、管理サーバ７で実行される各種のプログラムが記憶されている。
【０１５８】
＜動作の説明＞
（遊技機の動作）
次に、上述のように構成された遊技機１の作用及び効果について説明する。まず、制御装置６５によって実行される各種ルーチンをフローチャートを参照しつつ説明する。なお、ルーチンの各処理は、カウンタ群及びフラグＦＥに基づいて実行される。
【０１５９】
カウンタ群は、ラウンドカウンタＣＲ、保留カウンタＣＨ、入賞カウンタＣＥ、内部乱数カウンタＣＩ、外れリーチ乱数カウンタＣＯ、大当たり図柄乱数カウンタＣＢ、上・中・下の各図柄乱数カウンタＣＤＵ、ＣＤＣ、ＣＤＢ、リーチ種別決定カウンタＣＶ及びリーチ予告種別決定カウンタＣＹ等よりなっている。
【０１６０】
なお、ラウンドカウンタＣＲは、ラウンド回数をカウントするためのものであり、入賞カウンタＣＥは大入賞口４５への遊技球４１の入賞個数をカウントするためのものである。また、保留カウンタＣＨは変動表示の保留回数をカウントするためのものであり、「０」、「１」、「２」、「３」、「４」の値を順にとる。ここで、ＣＨ＝０は、保留されていない状態を意味する。
【０１６１】
図２７（ａ）に示す内部乱数カウンタＣＩは、特別図柄表示装置２３での大当たり状態を決定するためのものである。また、外れリーチ乱数カウンタＣＯは、外れリーチ状態時の表示を行うか否かを決定するためのものであり、大当たり図柄乱数カウンタＣＢは大当たり図柄を決定するためのものである。これらのカウンタＣＩ、ＣＯ、ＣＢはそれぞれ所定時間（例えば「２ｍｓ」）毎に値を所定範囲内で更新する。各値は、所定の条件に従って乱数として読み出される。また、各カウンタＣＩ、ＣＯ、ＣＢは、各値がそれぞれ特定の値になった場合に、初期値に戻すようになっている。
【０１６２】
上・中・下の各図柄乱数カウンタＣＤＵ、ＣＤＣ、ＣＤＢは、外れ停止図柄等を決定するためのものである。上図柄乱数カウンタＣＤＵは、所定時間（例えば「２ｍｓ」）毎に値を所定範囲で更新し、特定の値になると初期値に戻す。中図柄乱数カウンタＣＤＣは、上図柄乱数カウンタＣＤＵが一巡する毎に値を所定範囲内で更新し、特定の値になると初期値に戻す。下図柄乱数カウンタＣＤＢは、中図柄乱数カウンタＣＤＣが一巡する毎に値を所定範囲内で更新し、特定の値になると初期値に戻す。
【０１６３】
また、図１６及び図２７（ｂ）に示すリーチ種別決定カウンタＣＶは、上述した複数種類のリーチパターンのうちの１つを選択するために用いられるものであり、所定時間毎（例えば上図柄乱数カウンタＣＤＵが一巡する毎）に値（乱数値）を更新し、特定の値になると初期値に戻す。但し、各リーチパターンには重み付けがなされており、各リーチパターンの選択される確率は個々に異なったものとなっている。ただし、図１６中の数値はあくまでも一例であって、各リーチパターンの選択される確率は任意である。
【０１６４】
また、図１９及び図２７（ｃ）に示すリーチ予告種別決定カウンタＣＹは、上述した複数種類のリーチ予告パターンのうちの１つを選択するために用いられるものであり、所定時間毎（例えば上図柄乱数カウンタＣＤＵが一巡する毎）に値（乱数値）を更新し、特定の値になると初期値に戻す。ただし、図１９中の数値はあくまでも一例であって、各リーチ予告パターンの選択される確率は任意である。
【０１６５】
また、入賞判定フラグＦＥは、Ｖゾーンへの入賞の有無を判定するために用いられるものである。フラグＦＥは、入賞なしの場合に「０」に設定され、入賞ありの場合に自動的に「１」に設定される。
【０１６６】
さて、遊技者による遊技が開始されると、制御装置６５は、図２８の特別電動役物制御ルーチンを行う。なお、特別電動役物制御ルーチンでは、遊技者が所定のタイミングでパスワードを携帯電話機３から遊技機１に送信することによって、後述するリーチ動作処理ルーチンにおいて、背景変更処理及びキャラクタ変更処理されたスペシャルリーチ動作をするように構成されている。
【０１６７】
特別電動役物制御ルーチンでは、まずステップＳ１０において、始動口用スイッチ５７の検出結果に基づき、遊技球４１の始動口４３への入賞があったか否かを判定する。
この判定条件が満たされていないと特別電動役物制御ルーチンを終了し、満たされているとステップＳ２０において、各カウンタＣＩ、ＣＯ、ＣＢ、ＣＤＵ、ＣＤＣ、ＣＤＢ、ＣＶ、ＣＹの各値を取得するとともに、ＣＤＵ、ＣＤＣ、ＣＤＢの値に基づき外れ図柄を取得する。ここで取得とは、各カウンタの値を読み取り、その値をメモリに記憶する処理を指す。
【０１６８】
次に、制御装置６５は、ステップＳ３０において、図柄の変動開始処理を実行する。詳しくは、図３０の「変動開始処理ルーチン」に示すように、ステップ３１において、図柄変動信号をＯＮとし、出力端子７０ａに出力する。次にステップＳ３３において、内部乱数カウンタＣＩの値が大当たり値であるか否かを判定する。そして、内部乱数カウンタＣＩの値が大当たり値の場合（Ｓ３３：ＹＥＳ）には、ステップＳ３５において、大当たり値に対応する大当たり図柄を停止図柄としてメモリに記憶する。また、これと共に、後述する「再抽選処理」を経る場合に備えて、仮停止図柄をも記憶し、ステップＳ３７へ移行する。
【０１６９】
一方、ステップＳ３３における判定条件が満たされていないと、ステップＳ３９において、外れリーチ乱数カウンタＣＯの値が予め定められた外れリーチ値と同じであるか否かを判定する。そして、外れリーチ乱数カウンタＣＯの値が外れリーチ値と同一である場合（Ｓ３９：ＹＥＳ）には、ステップＳ４１において、外れリーチ値に対応する図柄（外れリーチ図柄）を停止図柄としてメモリに記憶する。
【０１７０】
さらに、ステップＳ３９の判定条件が満たされていない場合（Ｓ３９：ＮＯ）には、ステップＳ４３において、ステップＳ２０での外れ図柄を停止図柄としてメモリに記憶し、ステップＳ４５へ移行する。
【０１７１】
さて、ステップＳ３５又はステップＳ４１から移行して、ステップＳ３７においては、リーチ種別決定カウンタＣＶに基づいてリーチパターンを取得する。即ち、上述した「ノーマルリーチ」、「珊瑚礁リーチ」、「マリンちゃんリーチ」、「波紋リーチ」、「サムリーチ」のいずれかをリーチ種別決定カウンタＣＶに基づいて決定する。
【０１７２】
また、ステップＳ３７においては、リーチパターンを取得すると共に、リーチ予告種別決定カウンタＣＹに基づいてリーチ予告パターンを取得する。即ち、上述したリーチ予告パターン０〜２のいずれかをリーチ予告種別決定カウンタＣＹに基づいて決定する。
【０１７３】
そして、ステップＳ３７又はステップＳ４３から移行して、ステップＳ４５において特別図柄表示装置２３の図柄変動を開始させ、ステップＳ４７に移行する。
【０１７４】
ステップＳ４７においては、「第１リーチ予告動作処理ルーチン」を実行する。詳しくは、図３１に示すように、ステップＳ４８において、ステップＳ３７で取得されたリーチ予告パターンが、リーチ予告パターン１又は２か否かを判定する。ステップＳ４８で肯定判定された場合（Ｓ４８：ＹＥＳ）には、ステップＳ４９において、第１リーチ予告動作処理が実行される。詳しくは、図１７に示したように、特別図柄表示装置２３の表示部２３Ａに表示される上・中・下図柄列２５，２７，２９の図柄３１Ａ〜３１Ｉ、３１Ｋが変動を開始した後に、表示部２３Ａの下方から上方に向かって大量の泡５０が移動するように演出表示される。そして、このような演出を遊技者が視認することにより遊技者はリーチ状態発生への期待感を持つことができる。
【０１７５】
一方、ステップＳ４８で否定判定された場合（Ｓ４８：ＮＯ）には、リーチ予告パターンは「０」であり、この場合には第１リーチ予告処理を行わずに第１リーチ予告動作処理ルーチンを終了する。
以上の第１リーチ予告処理の後、図３０のステップＳ５１で図柄変動信号をＯＦＦし、その後、変動開始処理ルーチンを終了する。
【０１７６】
上記のように、ステップＳ３０（「変動開始処理ルーチン」）の処理を実行した後、制御装置６５は、図２８のステップＳ４０において、上下両図柄列２５、２９における図柄３１Ａ〜３１Ｉ、３１Ｋを前記ステップＳ３５、Ｓ４１、Ｓ４３のいずれかの処理で記憶した停止図柄に差替える（「再抽選処理」を経る場合には、仮停止図柄に差替える）。そして、差替え後の図柄３１Ａ〜３１Ｉ、３１Ｋが上下両図柄列２５、２９で表示されるよう図柄変動を停止させる。
【０１７７】
次に制御装置６５は、ステップＳ５０において、第２リーチ予告動作処理を行う。詳しくは、図３２の「第２リーチ予告動作処理ルーチン」に示すように、ステップＳ５２において、ステップＳ３７で取得したリーチ予告パターンがリーチ予告パターン２か否かを判定する。そして、肯定判定された場合（Ｓ５２：ＹＥＳ））には、ステップＳ５３において、制御装置６５は、第２リーチ予告処理を実行する。より詳しくは、図１８に示したように、魚群５３が右から左へ移動するように第２リーチ予告が表示される。
【０１７８】
一方、ステップＳ５２で否定判定された場合（Ｓ５２：ＮＯ）には、制御装置６５は第２リーチ予告処理を行わずに第２リーチ予告動作処理ルーチンを終了する。
【０１７９】
続いて、「第２リーチ予告動作処理ルーチン」を経た後、制御装置６５は、ステップＳ７０（図２８）において、演出内容変更手段としてのリーチ動作処理を行う。
詳しくは、図３３〜図３５の「リーチ動作処理ルーチン」に示すように、ステップＳ７１において、リーチ状態が発生したか否かを判定する。リーチ状態が発生していないと判定された場合（Ｓ７１：ＮＯ）には、本ルーチンの処理を終了してリターンする。
【０１８０】
そして、肯定判定（Ｓ７１：ＹＥＳ）の場合には、ステップＳ７３において、パスワード一致信号がＯＮか否かを判定する。このパスワード一致信号は、後述するようにパスワードが所定のタイミングで遊技機１に受信され、このパスワードがＲＯＭ８５内に記憶されたパスワードと一致する場合にＯＮされるものである。ステップ７３においてパスワード一致信号がＯＮと判定された場合（Ｓ７３：ＹＥＳ）には、続いてステップ９０において後に詳細に説明する背景変更・キャラクタ変更を伴ったスペシャルリーチ動作処理を行う。
【０１８１】
ステップ７３において、パスワード一致信号がＯＮと判定されない場合、すなわちパスワード一致信号がＯＦＦの場合（Ｓ７３：ＮＯ）には、ステップＳ７５（報知手段に相当する）において、パスワード入力メッセージを表示する。例えば図３６のパスワード入力メッセージを特別図柄表示装置２３に所定時間表示させる。このように表示することで、パスワードの入力忘れを防止することができる。また、このメッセージでは、パスワードの送信方法を同時に表示することが望ましい。
【０１８２】
続いて、ステップ７７において、パスワード一致信号がＯＮか否かを判定する。ステップ７７において、パスワード一致信号がＯＮと判定された場合（Ｓ７７：ＹＥＳ）には、ステップ９０においてスペシャルリーチ動作処理を行う。
なお、ステップ７７において、パスワード一致信号がＯＮと判定される場合（Ｓ７７：ＹＥＳ）は、上記メッセージによって、遊技者が例えば、図３７に示すように携帯電話機３の赤外線受光部２０８及び赤外線発光部２０９を、赤外線受光部９３に対向させ且つ接近させてパスワードを送信した場合である。
【０１８３】
ステップ７７において、パスワード一致信号がＯＦＦと判定された場合（Ｓ７７：ＮＯ）には、スペシャルリーチ動作処理を行わずに、図３５に示すステップＳ１２０〜１６７において、背景変更・キャラクタ変更のいずれも行わない通常のリーチ動作を行う（図５〜図９参照）。
【０１８４】
次にステップ９０におけるスペシャルリーチ動作処理を図３４により詳細に説明する。なお、スペシャルリーチ動作処理ルーチンにおいては、スペシャルノーマルリーチ動作処理、スペシャル珊瑚礁リーチ動作処理、スペシャルマリンちゃんリーチ動作処理、スペシャル波紋リーチ動作処理、スペシャルサムリーチ動作処理のいずれの場合であっても、背景は海草３４が覆い茂った海の背景とし、かつキャラクタとしては、各種犬のキャラクタ３８Ａ〜３８Ｉを使用する。このように背景、キャラクタを変更することで、遊技者に通常では見ることができない演出内容を見せることができる。
【０１８５】
スペシャルリーチ動作処理ルーチンにおいては、まず、ステップ９５において、ステップＳ３７で取得したリーチパターンが「ノーマルリーチ」か否かを判定する。そして、肯定判定された場合（Ｓ９５：ＹＥＳ）には、ステップＳ９７において、制御装置６５は、スペシャルノーマルリーチ動作処理を実行する。より詳しくは、背景変更処理、及びキャラクタ変更処理を行った後に各種ランプを点滅させるとともに、図１１に示すように、中図柄列２７の図柄３１Ａ〜３１Ｉ、３１Ｋをそれまでよりゆっくりと変動表示させてスペシャルリーチ処理ルーチンを終了する。
【０１８６】
ステップＳ９５で否定判定された場合には（Ｓ９５：ＮＯ）、ステップＳ９９に移行する。ステップＳ９９においては、ステップＳ３７で取得したリーチパターンが「珊瑚礁リーチ」か否かを判定する。そして、肯定判定された場合（Ｓ９９：ＹＥＳ）には、ステップ１０１においてスペシャル珊瑚礁リーチ動作処理を行う。
【０１８７】
より詳しくは、図１２に示すように、制御装置６５は、まず上述した「スペシャルノーマルリーチ」と同様の処理動作を所定時間行った後に、珊瑚礁３２Ａを背景に出現表示させてスペシャルリーチ処理ルーチンを終了する。
【０１８８】
ステップＳ９９で否定判定された場合（Ｓ９９：ＮＯ）には、ステップＳ１０３に移行する。ステップＳ１０３において、制御装置６５はステップＳ３７で取得したリーチパターンが、「マリンちゃんリーチ」か否かを判定する。そして、肯定判定された場合（Ｓ１０３：ＹＥＳ）には、ステップＳ１０５において、スペシャルマリンちゃんリーチ動作処理を行う。
【０１８９】
より詳しくは、制御装置６５は、まず上述した「スペシャルノーマルリーチ」と同様の処理動作を所定時間行い、図１３に示すようにマリンちゃん３２Ｂのキャラクタを出現表示させてスペシャルリーチ処理ルーチンを終了する。
【０１９０】
ステップＳ１０３で否定判定された場合（Ｓ１０３：ＮＯ）には、ステップＳ１０７に移行する。ステップＳ１０７においては、ステップＳ３７で取得したリーチパターンが、「波紋リーチ」か否かを判定する。そして、肯定判定された場合（Ｓ１０７：ＹＥＳ）には、ステップＳ１０９において、スペシャル波紋リーチ動作処理を行う。より詳しくは、制御装置６５は、まず上述した「スペシャルノーマルリーチ」と同様の処理動作を所定時間行い、その後図１４に示すように背景を波紋の模様３２Ｃに変化させてスペシャルリーチ処理ルーチンを終了する。
【０１９１】
ステップＳ１０７で否定判定された場合（Ｓ１０７：ＮＯ）には、ステップＳ１１１に移行する。ステップＳ１１１においては、スペシャルサムリーチ動作処理を行う。
【０１９２】
より詳しくは、制御装置６５は、まず上述した「スペシャルノーマルリーチ」と同様の処理動作を所定時間行い、その後、図１５に示すようにサム３２Ｄのキャラクタを出現表示させてスペシャルリーチ処理ルーチンを終了する。
【０１９３】
一方、図３３のステップＳ７７において、パスワード一致信号がＯＦＦと判定された場合（Ｓ７７：ＮＯ）の背景変更・キャラクタ変更のいずれも行わないリーチ動作の詳細は以下の通りである。
【０１９４】
まず、図３５のステップＳ１２０において、ステップＳ３７で取得したリーチパターンが「ノーマルリーチ」か否かを判定する。そして、肯定判定された場合（Ｓ１２０：ＹＥＳ）には、ステップ１２３において、ノーマルリーチ信号をＯＮとし、出力端子７０ｃに出力する。
続いて、ステップ１２５において、制御装置６５は、ノーマルリーチ動作処理を実行する。より詳しくは、各種ランプを点滅させるとともに、図５に示すように、中図柄列２７の図柄３１Ａ〜３１Ｉ、３１Ｋをそれまでよりゆっくりと変動表示させる。次にステップ１２７において、ノーマルリーチ信号をＯＦＦした後、リーチ動作処理ルーチンを終了する。
【０１９５】
ステップＳ１２０で否定判定された場合には（Ｓ１２０：ＮＯ）、ステップＳ１３０に移行する。ステップＳ１３０においては、ステップＳ３７で取得したリーチパターンが「珊瑚礁リーチ」か否かを判定する。そして、肯定判定された場合（Ｓ１３０：ＹＥＳ）には、ステップ１３３において、珊瑚礁リーチ信号をＯＮとし、出力端子７０ｄに出力する。続いて、ステップ１３５において、珊瑚礁リーチ動作処理を行う。
【０１９６】
より詳しくは、図６に示すように、制御装置６５は、まず上述した「ノーマルリーチ」と同様の処理動作を所定時間行った後に、珊瑚礁３２Ａを背景に出現表示させる。次にステップ１３７において、珊瑚礁リーチ信号をＯＦＦした後、リーチ動作処理ルーチンを終了する。
【０１９７】
ステップＳ１３０で否定判定された場合には（Ｓ１３０：ＮＯ）、ステップＳ１４０に移行する。ステップＳ１４０においては、ステップＳ３７で取得したリーチパターンが「マリンちゃんリーチ」か否かを判定する。そして、肯定判定された場合（Ｓ１４０：ＹＥＳ）には、ステップ１４３において、マリンちゃんリーチ信号をＯＮとし、出力端子７０ｅに出力する。続いて、ステップ１４５において、マリンちゃんリーチ動作処理を行う。
【０１９８】
より詳しくは、図７に示すように、制御装置６５は、まず上述した「ノーマルリーチ」と同様の処理動作を所定時間行った後に、マリンちゃん３２Ｂを出現表示させる。次にステップ１４７において、マリンちゃんリーチ信号をＯＦＦした後、リーチ動作処理ルーチンを終了する。
【０１９９】
ステップＳ１４０で否定判定された場合には（Ｓ１４０：ＮＯ）、ステップＳ１５０に移行する。ステップＳ１５０においては、ステップＳ３７で取得したリーチパターンが「波紋リーチ」か否かを判定する。そして、肯定判定された場合（Ｓ１５０：ＹＥＳ）には、ステップ１５３において、波紋リーチ信号をＯＮとし、出力端子７０ｆに出力する。続いて、ステップ１５５において、波紋リーチ動作処理を行う。
【０２００】
より詳しくは、図８に示すように、制御装置６５は、まず上述した「ノーマルリーチ」と同様の処理動作を所定時間行った後に、背景を波紋の模様３２Ｃに変化させる。次にステップ１５７において、波紋リーチ信号をＯＦＦした後、リーチ動作処理ルーチンを終了する。
【０２０１】
ステップＳ１５０で否定判定された場合（Ｓ１５０：ＮＯ）には、ステップＳ１６０に移行する。ステップ１６０において、サムリーチ信号をＯＮとし、出力端子７０ｇに出力する。そして、ステップＳ１６５においては、サムリーチ動作処理を行う。
【０２０２】
より詳しくは、制御装置６５は、まず上述した「ノーマルリーチ」と同様の処理動作を所定時間行い、その後、図９に示すようにサム３２Ｄのキャラクタを出現表示させる。次にステップ１６７において、サムリーチ信号をＯＦＦした後、リーチ動作処理ルーチンを終了する。
【０２０３】
次に、制御装置６５は、図２８のステップ１８０において中図柄２７での図柄変動の停止を行う。
【０２０４】
続いて制御装置６５は、ステップＳ１９０において、再抽選処理を実行する。詳しくは、図３８の再抽選処理ルーチンに示すように、制御装置６５はまずステップＳ１９１において、今回再抽選実行条件が成立しているか否かを判定する。ここで、再抽選実行条件としては、今回が大当たり時であること、一旦停止された大当たり図柄が通常モードの付与される図柄３１Ｂ、３１Ｄ、３１Ｆ、３１Ｈであること、かつ、所定の確率で再抽選を実行することが決定されていること（別途のカウンタ等に基づいて決定される）等が挙げられる。そして、当該再抽選実行条件が成立していない場合には、何らの処理をも行うことなくリターンする。
【０２０５】
これに対し、再抽選実行条件が成立している場合（Ｓ１９１：ＹＥＳ）には、ステップＳ１９３において、図柄３１Ａ〜３１Ｉ、３１Ｋの差替えを行う。つまり、ステップＳ３５で記憶した最終停止図柄に差替え表示を行う。
【０２０６】
再抽選処理を行った後、制御装置６５は、次に、図２８のステップＳ２００において、図柄３１Ａ〜３１Ｉの組合せが大当たりの組合せであるか否かを判定する。なお、この際には、停止図柄の差替えが正しく行われたか否かの確認も行われる。そして、この判定条件が満たされていない場合（Ｓ２００：ＮＯ）には、特別電動役物制御ルーチンを終了する。また、図柄３１Ａ〜３１Ｉの組合せが大当たりの組合せである場合（Ｓ２００：ＹＥＳ）には、ステップＳ２１０へ移行する。そして、ステップＳ２１０において、大当り信号をＯＮとし、出力端子７０ｂに出力する。
【０２０７】
続いて、ステップＳ２２０において、制御装置６５は、ラウンドカウンタＣＲを「０」にクリヤする。なお、このとき、制御装置６５によって表示部２３Ａ上に大当たり報知表示がなされる。
【０２０８】
次に、制御装置６５は、ステップＳ２３０（図２９参照）において、入賞カウンタＣＥを「０」にクリヤするとともに、入賞判定フラグＦＥを「０」に設定する。また、続くステップＳ２４０においては、ラウンドカウンタＣＲを「１」ずつインクリメントする。
【０２０９】
さらに、ステップＳ２５０において、制御装置６５は、大入賞口用ソレノイド６３を励磁させる。すると、シャッタが倒れて略水平状態となり、大入賞口４５が開放される。この開放により、遊技球４１のＶゾーン及び入賞通路への入賞が可能となる。
【０２１０】
次に、ステップＳ２６０において、制御装置６５は、入賞カウンタＣＥの値が予め定められた所定値ＣＥｍａｘよりも小さいか否かを判定する。そして、この判定条件が満たされている場合には、ステップＳ２７０において、未だ大入賞口４５の閉鎖予定時期が到来していないか否かを判定する。この判定条件が満たされている場合、すなわち、閉鎖予定時期が到来していない場合（Ｓ２７０：ＹＥＳ）には、処理をステップＳ２６０へ戻す。その結果、大入賞口４５の開放開始後に所定値ＣＥｍａｘ個よりも多くの遊技球４１が入賞するか、閉鎖予定時期が到来するかしない限りは、大入賞口４１が開放され続ける。これに対し、ステップＳ２６０又はステップＳ２７０のいずれか一方が満たされていないと、ステップＳ２８０において、制御装置６５は、大入賞口用ソレノイド６３を消磁する。すると、シャッタが起こされて略垂直状態となり、大入賞口４５が閉鎖される。
【０２１１】
続いて、ステップＳ２９０において、制御装置６５は、ラウンドカウンタＣＲの値が予め定められた所定値ＣＲｍａｘよりも小さいか否かを判定する。そして、ラウンドカウンタＣＲの値が所定値ＣＲｍａｘよりも小さい場合には、続くステップＳ３００において入賞判定フラグＦＥが「１」であるか否かを判定する。入賞判定フラグＦＥが「１」の場合には、処理をステップＳ２３０へと戻す。従って、一旦大当たり遊技状態が発生すると、遊技球４１がＶゾーンに入賞することによる継続条件が、所定値ＣＲｍａｘ回数満たされるまでは、大入賞口４５が開閉のサイクルを繰り返す。例えば所定値ＣＥｍａｘが「１０」に設定され、大入賞口４５の開放時間が「約２９．５秒」に設定され、所定値ＣＲｍａｘが「１６」に設定されている場合には、大入賞口４５の開放後、（１）遊技球４１が大入賞口４５へ１０個入賞すること、（２）約２９．５秒が経過すること、のいずれか一方の条件が満たされた時点で大入賞口４５が閉鎖される。この大入賞口４５の開閉のサイクルが遊技球４１のＶゾーンへの入賞を条件に最大で１６回繰り返されることとなる。そして、ステップＳ２９０又はステップＳ３００の判定条件のいずれか一方が満たされていない場合には、ステップ３１０において、大当たり状態が終了したものとして、大当たり信号をＯＦＦとする。
【０２１２】
そして、ステップＳ３２０において、大当たり状態が終了したものとして、その旨を表示部２３Ａに表示する。また、これとともに、次回の遊技モードを報知する処理を実行する。より詳しくは、今回の大当たり図柄が偶数の図柄３１Ｂ、３１Ｄ、３１Ｆ、３１Ｈの場合には、表示部２３Ａに通常モードである旨の表示を行う。また、今回の大当たり図柄が奇数の図柄３１Ａ、３１Ｃ、３１Ｅ、３１Ｇ、３１Ｉの場合には、表示部２３Ａに確変モードである旨の表示を行う。その報知態様としては、例えば、表示部２３Ａにおける背景画面を変更したり、文字を表示したり、ランプを点灯させたり、音声で報知することなどがある。
【０２１３】
そして、ステップＳ３２０のモード報知処理を実行した後、制御装置２４は「特別電動役物制御ルーチン」を終了する。
【０２１４】
（通信制御基板）
次に、通信制御基板８０における遊技情報記憶処理ルーチンについて、図３９のフローチャートを参照しつつ説明する。このルーチンは、遊技機１から携帯電話機３に一旦送信され、その後、携帯電話機３から管理サーバ７にインターネット５を介して送信される遊技情報を記憶するために行うものであり、本実施形態においては、変動回数、大当たり回数、ノーマルリーチ回数、珊瑚礁リーチ回数、波紋リーチ回数、マリンちゃんリーチ回数、サムリーチ回数を積算した遊技状態の情報、すなわち遊技情報を記憶するために行う。尚、本ルーチンは、通信制御基板８０により、所定周期（例えば、１〜２ｍｓｅｃ毎）で繰り返し呼び出されて実行されるものである。また、電源投入時の初期化処理において、変動回数カウンタＨＣ、大当たり回数カウンタＯＣ、ノーマルリーチ回数カウンタＮＣ、珊瑚礁リーチ回数カウンタＳＣ、波紋リーチ回数カウンタＨＡＣ、マリンちゃんリーチ回数カウンタＭＣ、サムリーチ回数カウンタＳＡＣは、すべて初期値として「０」が設定される。
【０２１５】
最初に、ステップＳ４００において、Ｉ／Ｆ回路８１より、「図柄変動信号」「大当たり信号」、「ノーマルリーチ信号」、「珊瑚礁リーチ信号」、「波紋リーチ信号」、「マリンちゃんリーチ信号」、「サムリーチ信号」の各信号の状態をそれぞれ読み込む。続いて、ステップＳ４１０において、「図柄変動信号」がＯＦＦからＯＮに変化したか否かを判断する。「図柄変動信号」がＯＦＦからＯＮに変化しないと判定された場合（Ｓ４１０：ＮＯ）には、後述のステップ４３０を行う。一方、「図柄変動信号」がＯＦＦからＯＮに変化したと判定された場合（Ｓ４１０：ＹＥＳ）には、ステップ４２０において、ＲＡＭ８７の遊技情報記憶領域８７Ａの変動回数カウンタＨＣに１を加算した後、ステップ４３０の処理を行う。
【０２１６】
ステップＳ４３０において、「大当たり信号」がＯＦＦからＯＮに変化したか否かを判断する。「大当たり信号」がＯＦＦからＯＮに変化しないと判定された場合（Ｓ４３０：ＮＯ）には、後述のステップ４５０を行う。一方、「図柄変動信号」がＯＦＦからＯＮに変化したと判定された場合（Ｓ４３０：ＹＥＳ）には、ステップ４４０において、ＲＡＭ８７の遊技情報記憶領域８７Ａの大当たり回数カウンタＯＣに１を加算した後、ステップ４５０の処理を行う。
【０２１７】
ステップＳ４５０において、「ノーマルリーチ信号」がＯＦＦからＯＮに変化したか否かを判断する。「ノーマルリーチ信号」がＯＦＦからＯＮに変化しないと判定された場合（Ｓ４５０：ＮＯ）には、後述のステップ４７０を行う。一方、「ノーマルリーチ信号」がＯＦＦからＯＮに変化したと判定された場合（Ｓ４５０：ＹＥＳ）には、ステップ４６０において、ＲＡＭ８７の遊技情報記憶領域８７Ａのノーマルリーチ回数カウンタＮＣに１を加算した後、ステップ４７０の処理を行う。
【０２１８】
ステップＳ４７０において、「珊瑚礁リーチ信号」がＯＦＦからＯＮに変化したか否かを判断する。「珊瑚礁リーチ信号」がＯＦＦからＯＮに変化しないと判定された場合（Ｓ４７０：ＮＯ）には、後述のステップ４９０を行う。一方、「珊瑚礁リーチ信号」がＯＦＦからＯＮに変化したと判定された場合（Ｓ４７０：ＹＥＳ）には、ステップ４８０において、ＲＡＭ８７の遊技情報記憶領域８７Ａの珊瑚礁リーチ回数カウンタＳＣに１を加算した後、ステップ４９０の処理を行う。
【０２１９】
ステップＳ４９０において、「波紋リーチ信号」がＯＦＦからＯＮに変化したか否かを判断する。「波紋リーチ信号」がＯＦＦからＯＮに変化しないと判定された場合（Ｓ４９０：ＮＯ）には、後述のステップ５１０を行う。一方、「波紋リーチ信号」がＯＦＦからＯＮに変化したと判定された場合（Ｓ４９０：ＹＥＳ）には、ステップ５００において、ＲＡＭ８７の遊技情報記憶領域８７Ａの波紋リーチ回数カウンタＨＡＣに１を加算した後、ステップ５１０の処理を行う。
【０２２０】
ステップＳ５１０において、「マリンちゃんリーチ信号」がＯＦＦからＯＮに変化したか否かを判断する。「マリンちゃんリーチ信号」がＯＦＦからＯＮに変化しないと判定された場合（Ｓ５１０：ＮＯ）には、後述のステップ５３０を行う。一方、「マリンちゃんリーチ信号」がＯＦＦからＯＮに変化したと判定された場合（Ｓ５１０：ＹＥＳ）には、ステップ５２０において、ＲＡＭ８７の遊技情報記憶領域８７Ａのマリンちゃんリーチ回数カウンタＭＣに１を加算した後、ステップ５３０の処理を行う。
【０２２１】
ステップＳ５３０において、「サムリーチ信号」がＯＦＦからＯＮに変化したか否かを判断する。「サムリーチ信号」がＯＦＦからＯＮに変化しないと判定された場合（Ｓ５３０：ＮＯ）には、遊技情報記録処理ルーチンを終了する。一方、「サムリーチ信号」がＯＦＦからＯＮに変化したと判定された場合（Ｓ５３０：ＹＥＳ）には、ステップ５４０において、ＲＡＭ８７の遊技情報記憶領域８７Ａのサムリーチ回数カウンタＳＡＣに１を加算した後、遊技情報記録処理ルーチンを終了する。
【０２２２】
尚、出力端子７０ａ〜７０ｈ、ステップＳ４００からステップ５４０が、本発明の状態検出手段として機能するものである。また、図柄変動、大当たりの発生、ノーマルリーチの発生、珊瑚礁リーチの発生、波紋リーチの発生、マリンちゃんリーチの発生、サムリーチの発生が、本発明における「特定の遊技状態の発生」に相当するものである。
【０２２３】
（通信制御基板、携帯端末の動作）
次に、遊技機１の通信制御基板８０において実行される送受信処理について、図４０〜図４３に示す送受信メインルーチンのフローチャートを参照しつつ説明する。このルーチンでは、ステップＳ６００のパスワード受信処理ルーチンにおいて、前記特別電動役物制御ルーチンにおけるスペシャルリーチの動作・非動作を司るパスワード一致信号のＯＮ・ＯＦＦを制御するとともに、ステップＳ６５０の遊技情報送信処理ルーチンにおいて、前記遊技情報記憶処理ルーチンにて記憶された遊技状態の情報(遊技情報）を遊技機１から携帯電話機３に送信する。尚、この処理におけるルーチンは、ＲＯＭ８５に記憶されており、ＣＰＵ８３がＲＯＭ８５よりルーチンを読み出して実行する。
【０２２４】
まず、ステップＳ６００においてパスワード受信処理を行う。このパスワード受信処理では、図４１に示すように最初に、ステップＳ６０１において、リーチ状態か否かを判定する。本実施形態では、リーチ状態のときが「所定のタイミング」であり、このリーチ状態のときに限って、パスワードが遊技機１に受信されたか否かが判定され、正しいパスワードの受信と連動して前記スペシャルリーチ処理が行われるようになっている。
リーチ状態でない場合（Ｓ６０１：ＮＯ）には、本ルーチンを終了する。リーチ状態と判定された場合（Ｓ６０１：ＹＥＳ）には、ステップＳ６０３において、「パスワードを送信する方は、確認ボタンを押した後、６０秒以内にパスワードを送信して下さい。確認ボタンを押さない場合には、パスワードの受信タイムが終了します。」とのメッセージを特別図柄表示装置２３に所定時間（例えば３０秒、以下「意思確認時間」という）表示し、次にこの意思確認時間内に確認ボタン９０Ａが押されたか否かが判定される（Ｓ６０５）。ステップＳ６０５において確認ボタン９０Ａが押されたと判定された場合には、特別図柄表示装置２３に例えば、「パスワード受信タイム中です。」との受信の待機画面を所定時間（例えば６０秒、以下「待機画面表示時間」という）表示する（ステップＳ６０７）。
なお、待機画面中にパスワード受信タイムの残存時間が表示されることが望ましい。また、待機画面中にパスワードの送信方法が表示されることが好ましい。
次に、ステップＳ６０９において、意思確認時間又は待機画面表示時間内にパスワードを受信したか否かが判定され、その結果、パスワードを受信したと判定された場合（ステップＳ６０９：ＹＥＳ）には、ステップＳ６１１において受信したパスワードがＲＯＭ８５に記憶されるパスワードと一致するか否かを判定する。受信したパスワードがＲＯＭ８５に記憶されるパスワードと一致する場合（Ｓ６１１：ＹＥＳ）には、ステップＳ６１３において、パスワード一致信号ＯＮを出力端子７０ｉに出力する。
【０２２５】
このパスワード一致信号ＯＮにより、上述のスペシャルリーチ動作が行われる。そして、ステップＳ６１５において、スペシャルリーチ動作が終了したことを確認し、続くステップＳ６１７において、パスワード一致信号をＯＦＦとし、本ルーチンを終了する。
一方、ステップＳ６１１において、受信したパスワードがＲＯＭ８５に記憶されるパスワードと一致しない場合（ステップＳ６１１：ＮＯ）には、ステップＳ６１９において、例えば、「パスワードが一致しません」とのメッセージを特別図柄表示装置２３に表示し、メインルーチンにリターンする。なお、ステップＳ６１９が本発明におけるパスワードが不一致である旨を報知する報知手段に相当する。
【０２２６】
また、リーチ状態となった場合でも、パスワードの送信を望まない者、例えばパスワードを取得していない遊技者や、パスワードを取得したとしてもこのパスワードにより遊技機１の動作内容の変更を望まない遊技者は、その選択により確認ボタン９０Ａを押さずにそのままの状態で放置する（ステップＳ６０５：ＮＯ）。すると、待機画面が所定時間表示されることなく、本ルーチンは終了する。
このようにパスワードの送信を望まない遊技者は確認ボタン９０Ａを押さないという選択をすることにより、確認ボタン９０Ａを押した場合よりもパスワード受信可能期間を短縮することができる。具体的には、確認ボタン９０Ａを押さない場合には、パスワード受信可能期間は意思確認時間のみとなり、確認ボタン９０Ａを押した場合の意思確認時間と待機画面表示時間の合計時間よりも、待機画面表示時間分短くなる。
【０２２７】
前記意思確認時間又は待機画面表示時間内にパスワードを送信し損ねた遊技者、例えば、携帯電話機３の操作に戸惑った遊技者は、ステップＳ６２１からステップＳ６２７における延長時間内に再度パスワードを送信する機会が与えられている。すなわちステップＳ６０９において、意思確認時間又は待機画面表示時間内にパスワードを受信していないと判定された場合（ステップＳ６０９：ＮＯ）には、特別図柄表示装置２３に例えば、「パスワードの受信タイムを延長しますか。延長を希望する方は、延長ボタン９０Ｂを押した後、６０秒以内にパスワードを送信して下さい。」とのメッセージを特別図柄表示装置２３に所定時間（例えば３０秒、以下「延長の意思確認時間」という）表示し、次にこの延長の意思確認時間内に延長ボタン９０Ｂが押されたか否かが判定される（Ｓ６２３）。ステップＳ６２３において延長ボタン９０Ｂが押されたと判定された場合には、特別図柄表示装置２３に例えば、「延長されたパスワード受信タイム中です。」との受信の待機画面を所定時間（例えば６０秒、以下「延長の待機画面表示時間」という）表示する（ステップＳ６２５）。そして、ステップＳ６２７において、延長の意思確認時間又は延長の待機画面表示時間内にパスワードを受信したか否かが判定され、その結果、パスワードを受信したと判定された場合（ステップＳ６２７：ＹＥＳ）には、上述のＳ６１１以降の処理を行う。
【０２２８】
このように本実施形態では、パスワード受信可能期間は、この期間中における遊技者の設定により調整できるようになっている。
従って、このパスワード受信可能期間が到来したときに、遊技者は、パスワードの送信を望むか否かによって、又はパスワードの送信を望む場合の自己の携帯電話機３の準備状況や、そのときの喫煙状況や、飲食等の状況によって、パスワード受信可能期間を調整することができる。
具体的には、パスワードの送信を望む者は、確認ボタン９０Ａを押すことによって、意思確認時間、及び待機画面表示時間の合計時間のパスワード受信可能期間を確保することができる。さらに、例えば携帯電話機３の準備を行っていない遊技者等は、延長ボタン９０Ｂを押すことによって、意思確認時間、待機画面表示時間、延長の意思確認時間、及び延長の待機画面表示時間の合計時間のパスワード受信可能期間を確保することができる。その一方、パスワードの受信を望まない遊技者は、確認ボタン９０Ａを押さないことによって、パスワード受信可能期間を意思確認時間のみに短縮することができ、待機画面表示時間という不必要な時間、待機することが不要となる。よって、このような遊技者の遊技意欲を減退させることを防止することができる。
【０２２９】
次にステップＳ６５０の遊技情報送信処理ルーチンを説明する。まず、図４２のステップＳ６７０において遊技情報データがあるか否かを判定する。ここで遊技情報データがある状態とは、変動回数カウンタＨＣ、大当たり回数カウンタＯＣ、ノーマルリーチ回数カウンタＮＣ、珊瑚礁リーチ回数カウンタＳＣ、波紋リーチ回数カウンタＨＡＣ、マリンちゃんリーチ回数カウンタＭＣ、サムリーチ回数カウンタＳＡＣの少なくとも１つが「０」以外の値となっている場合をいう。
【０２３０】
遊技情報データがない、すなわち、変動回数カウンタＨＣ、大当たり回数カウンタＯＣ、ノーマルリーチ回数カウンタＮＣ、珊瑚礁リーチ回数カウンタＳＣ、波紋リーチ回数カウンタＨＡＣ、マリンちゃんリーチ回数カウンタＭＣ、サムリーチ回数カウンタＳＡＣが全て「０」となっていると判定された場合（ステップＳ６７０：ＮＯ）には、本ルーチンの処理を終了してリターンする。遊技情報データが記憶されていると判定された場合（ステップＳ６７０：Ｙｅｓ）には、ステップＳ６８０において、報知ランプ８９を点灯する。
【０２３１】
一方、遊技者は、報知ランプ８９の点灯により遊技機１に送信可能な遊技情報データが蓄積されていることを知ると、携帯電話機３を取り出し、ボタン２０４を操作することにより遊技情報受信用プログラムを起動する。すると、携帯電話機３の液晶パネル２０６には、図４４に示すように、「情報の受信準備が整いました。送信要求信号を送信してください。」とのメッセージが表示される。そして、遊技者は、携帯電話機３の赤外線受光部２０８及び赤外線発光部２０９を、赤外線発光部９１及び赤外線受光部９３に対向させ且つ接近させ、ボタン２０４を操作することにより送信要求信号を送信する。
【０２３２】
続いて、ステップＳ６９０において、送信要求信号が携帯電話機３から送信されたか否かが判定される。送信要求信号が受信された場合（ステップＳ６９０：Ｙｅｓ）には、ステップＳ７００において、コネクト信号を送信し、Ｓ７１０において、リターン信号を受信する。これにより、通信制御基板８０と携帯電話機３との間で、赤外線通信が可能な状態となる。続いて、Ｓ７２０において、報知ランプ８９の点滅を開始する。そして、ステップＳ７３０において、図４３に示す遊技情報作成・送信処理ルーチンを呼び出す。
【０２３３】
遊技情報作成・送信処理ルーチンでは、ステップＳ７３１において、当該遊技機１を他と識別する遊技機識別情報としての遊技機ＩＤが、ＲＡＭ８７上の送信バッファ８７Ｃの格納領域に格納される。さらに、ステップＳ７３３において、変動回数カウンタＨＣ値、大当たり回数カウンタＯＣ値、ノーマルリーチ回数カウンタＮＣ値、珊瑚礁リーチ回数カウンタＳＣ値、波紋リーチ回数カウンタＨＡＣ値、マリンちゃんリーチ回数カウンタＭＣ値、サムリーチ回数カウンタＳＡＣ値、すなわち遊技情報データが、ＲＡＭ８７上の送信バッファ８７Ｃの格納領域に格納される。
【０２３４】
ここで、図４５（ａ）は、遊技情報送信用の送信バッファ８７Ｃのフォーマットを、同図（ｂ）は遊技情報の格納例をそれぞれ示している。つまり、遊技情報は、「遊技機ＩＤ＋変動回数カウンタＨＣ値＋大当たり回数カウンタＯＣ値＋ノーマルリーチ回数カウンタＮＣ値＋珊瑚礁リーチ回数カウンタＳＣ値＋波紋リーチ回数カウンタＨＡＣ値＋マリンちゃんリーチ回数カウンタＭＣ値＋サムリーチ回数カウンタＳＡＣ値」というデータ構造を有する。
【０２３５】
そして、ステップＳ７３５において、送信バッファ８７Ｃに格納された情報を赤外線発光部９１より赤外線として送信する。続いて、ステップＳ７３７において、赤外線受光部９３にて携帯電話機３からの確認信号を受信した後、メインルーチンにリターンする。
【０２３６】
なお、通信制御基板８０から遊技情報が送信されている間、携帯電話機３の液晶パネル２０６には、図４６に示すように、「情報を受信しています」とのメッセージが表示される。
【０２３７】
遊技情報送信メインルーチン（図４２）にリターンすると、ステップＳ７４０において、報知ランプ８９を消灯し、ステップＳ７５０において、遊技情報記憶領域８７Ａ及び送信バッファ８７Ｃの記憶内容を消去して、本ルーチンの処理を終了する。
【０２３８】
一方、ステップＳ６９０において、送信要求信号が受信されなかったと判定された場合（ステップＳ６９０：Ｎｏ）、次に、ステップＳ７６０において、発射スイッチ信号がオフであるか否かが判定される。この発射スイッチ信号は、出力端子７０ｈより出力される。発射スイッチ信号がオンである場合（ステップＳ７６０：Ｎｏ）、ステップＳ６９０へ戻る。
【０２３９】
発射スイッチ信号がオフである場合（ステップＳ７６０：Ｙｅｓ）、ステップＳ７７０において、通信制御基板８０に蓄積された情報が消去される旨の警告メッセージを表示部２３Ａに表示させる。図４７は、この場合における表示部２３Ａのメッセージ表示例を示している。つまり、発射スイッチ信号がオフされた場合は、遊技者が当該遊技機１における遊技を中止した場合であるが、この時点においても未受信の遊技情報が残存している場合には、蓄積された情報がまもなく消去される旨を警告すると共に、遊技情報を受信するための最終的な機会を遊技者に提供するものである。続いてステップＳ７８０において、送信要求信号が携帯電話機３から送信されたか否かが判定される。送信要求信号が受信された場合（ステップＳ７８０：Ｙｅｓ）には、ステップＳ７００以降を実行する。一方、送信要求信号が受信されなかった場合（ステップＳ７８０：Ｎｏ）、ステップＳ７９０において、所定時間（例えば、３分間）経過したか否かが判定される。所定時間経過していない場合は（ステップＳ７９０：ＮＯ）、ステップＳ７８０に戻って再び送信要求信号が受信されたか否かを判定し、所定時間経過した場合は（ステップＳ７９０：Ｙｅｓ）、報知ランプ８９の消灯（ステップＳ７４０）及び遊技情報記憶領域８７Ａの記憶内容の消去等を行い（ステップＳ７５０）、本ルーチンの処理を終了する。つまり、遊技球４１の発射を停止してから所定時間（例えば、３分間）経過した後は、遊技情報記憶領域８７Ａの記憶内容（すなわち、蓄積された遊技情報データ）が消去されるため、遊技情報として送信することが不可能となる。従って、当該遊技機１の遊技者が遊技を終了して席を離れた場合等に、当該遊技者以外の者によって不正に遊技情報の受信が行われる危険性を低減することができる。
【０２４０】
上述した遊技情報送信処理ルーチンにおいて送信された遊技情報は、携帯電話機３によって受信されると、携帯電話機３に内蔵されたメモリ２２０の遊技情報記憶領域に記憶される。
【０２４１】
＜携帯電話機からサーバへの送信処理ルーチン＞
ここで携帯電話機３において実行される管理サーバ７への送信処理について、図４８に示すフローチャートを参照しつつ説明する。尚、この処理におけるルーチンは、メモリ２２０に記憶されており、マイクロコンピュータ２２２がメモリ２２０よりこのルーチンを読み出して実行する。
【０２４２】
管理サーバ７への送信処理ルーチンでは、まず、ステップＳ８００において遊技者が管理サーバ７への遊技情報の送信要求をしたか否かが判定される。なお、遊技者の送信要求は例えば、携帯電話機３のボタン２０４を操作することにより実行される。
【０２４３】
そして、送信要求がされたと判断された場合（Ｓ８００：ＹＥＳ）には、ステップＳ８１０において、当該遊技者を他と識別するための遊技者識別情報としての遊技者ＩＤが、メモリ２２０上の送信バッファの格納領域に格納される。続いて、ステップＳ８２０において、当該遊技機１を他と識別する遊技機識別情報としての遊技機ＩＤが、メモリ２２０上の送信バッファの格納領域に格納される。さらに、ステップＳ８３０において、変動回数カウンタＨＣ値、大当たり回数カウンタＯＣ値、ノーマルリーチ回数カウンタＮＣ値、珊瑚礁リーチ回数カウンタＳＣ値、波紋リーチ回数カウンタＨＡＣ値、マリンちゃんリーチ回数カウンタＭＣ値、サムリーチ回数カウンタＳＡＣ値が、メモリ２２０の送信バッファの格納領域に格納される。
【０２４４】
ここで、図４９（ａ）は、遊技情報送信用の送信バッファのフォーマットを、同図（ｂ）は遊技情報の格納例をそれぞれ示している。つまり、遊技情報は、「遊技者ＩＤ＋遊技機ＩＤ＋変動回数カウンタＨＣ値＋大当たり回数カウンタＯＣ値＋ノーマルリーチ回数カウンタＮＣ値＋珊瑚礁リーチ回数カウンタＳＣ値＋波紋リーチ回数カウンタＨＡＣ値＋マリンちゃんリーチ回数カウンタＭＣ値＋サムリーチ回数カウンタＳＡＣ値」というデータ構造を有する。そして、ステップＳ８４０において、送信バッファに格納された情報をインターネット５を介して、遊技機メーカ等によって運営される管理サーバ７へ送信する。続いて、ステップＳ８５０において、メモリ２２０の遊技情報記憶領域及び送信バッファの記憶内容を消去して、本ルーチンの処理を終了する。
【０２４５】
（サーバの動作）
次に、図５０〜５１を参照して、管理サーバ７で行われる遊技情報のデータ受信に基づくパスワード送信の動作について説明する。まず、インターネット５及びルータ１２５を介して、管理サーバ７が、遊技者の携帯電話機３から送信された遊技情報を受信すると（Ｓ９００：ＹＥＳ）、ステップＳ９１０において、管理サーバ７のＲＡＭ１０３へ記憶される。なお、ステップ９００の動作が情報受信手段として機能する。
【０２４６】
次いで、ステップ９２０において、ポイント加算処理を行う。このポイント加算処理では、まず、ステップ９２１において、受信した遊技情報の遊技機ＩＤが「Ａ０１」から始まるか否かが判定される。遊技機ＩＤが「Ａ０１」から始まると判定された場合、すわわち、Ａ物語に関する遊技情報であると判定された場合（Ｓ９２１：ＹＥＳ）には、ステップ９２３においてＡ物語の遊技者データベース１３０Ａを選択し、ステップ９２５において遊技者ＩＤに対応する獲得ポイント欄に後述する方法で計算したポイントを加算し、メインルーチンにリターンする。
【０２４７】
一方、遊技機ＩＤが「Ａ０１」から始まらないと判定された場合、すわわち、Ｂ物語に関する遊技情報であると判定された場合（Ｓ９２１：ＮＯ）には、ステップ９２７においてＢ物語の遊技者データベース１３０Ｂを選択し、ステップ９２９において遊技者ＩＤに対応する獲得ポイント欄に後述する方法で計算したポイントを加算し、メインルーチンにリターンする。
【０２４８】
なお、ポイントの計算は、携帯電話機３から送信された遊技情報の変動回数カウンタＨＣ値、大当たり回数カウンタＯＣ値、ノーマルリーチ回数カウンタＮＣ値、珊瑚礁リーチ回数カウンタＳＣ値、波紋リーチ回数カウンタＨＡＣ値、マリンちゃんリーチ回数カウンタＭＣ値、サムリーチ回数カウンタＳＡＣ値に基づいて行う。
【０２４９】
例えば、図２５に示すポイントテーブルのポイントに応じたポイント計算を行う。図柄変動の場合、言い換えれば始動口の入賞の場合には、１回につき「１」ポイント加算し、大当たりが発生した場合には、１回の大当たりにつき、「１０」ポイント加算し、ノーマルリーチが表示された場合には、１回のノーマルリーチにつき「２」ポイント加算し、珊瑚礁リーチが表示された場合には、１回の珊瑚礁リーチにつき、「５」ポイント加算し、マリンちゃんリーチが表示された場合には、１回のマリンちゃんリーチにつき「５」ポイント加算し、波紋リーチが表示された場合には、１回の波紋リーチにつき「５」ポイント加算し、サムリーチが表示された場合には、１回のサムリーチにつき「７」ポイント加算する。
【０２５０】
なお、獲得ポイントは、初期値において０とされている。また、遊技者が既にポイントを獲得している場合には、既に獲得しているポイントに、新たに獲得したポイントを加算する。
【０２５１】
次に、図５０のステップＳ９３０において、獲得したポイント数が所定条件を充足しているか否かを判定する。この所定条件は、例えば、図２６に示すように、獲得ポイント数が所定の値以上と設定しておく。この例では、Ａ物語においては１０００ポイント以上、Ｂ物語においては２０００ポイント以上としている。所定条件を満たしていない場合（Ｓ９３０：ＮＯ）には、本ルーチンを終了する。所定条件を満たす場合（Ｓ９３０：ＹＥＳ）には、次いで、ステップ９４０において、パスワードが既に遊技者に送信されているか否かを判定する。この判定は、例えば以下のようにして行う。すなわち、パスワードを取得した場合には、図２４に示すように遊技者データベース１３０のパスワードの獲得欄に「有り」を記憶する。そして、この獲得欄の内容によって、既にパスワードを送信したか否かを判定する。ステップＳ９４０において、パスワードが既に遊技者に送信されていると判定された場合（Ｓ９４０：ＹＥＳ）には、本ルーチンを終了する。
【０２５２】
ステップＳ９４０において、パスワードが送信されていないと判定された場合（Ｓ９４０：ＮＯ）には、ステップ９５０において、パスワード送信処理を行う。
【０２５３】
このパスワード送信処理では、管理サーバ７のハードディスク装置１０９の遊技者データベースで、所定条件を満たした遊技者、例えばポイント数が１０００ポイント以上となった遊技者の電子メールアドレスを取得する。例えば図２４において、１０００ポイント以上となった「太郎」の電子メールアドレスを取得する。そして、その電子メールアドレスにてインターネット５を介して、所定のパスワードを添付した電子メールを送信する。この送信の際に、パスワードの使用方法、及びパスワードにより変更される演出内容の予告情報も添付することが好ましい。ここで、演出内容の予告情報は、例えば、「パスワードの使用により、キャラクタ、及び背景が変更されます。」というような文字メッセージ、表示部２３Ａに変更後表示される図柄の静止画、動画等が用いられる。尚、所定のパスワードは、例えば図２６に示されるように機種毎に異なるパスワードが使用される。以上の動作が、アドレス取得手段、及びパスワード送信手段として機能する。
【０２５４】
続いて、ステップＳ９６０において、パスワードの取得記録として、遊技者データベース１３０のパスワードの獲得欄に「有り」を記憶し、本ルーチンを終了する。
【０２５５】
なお、パスワード送信処理において管理サーバ７から携帯電話機３に送信されたパスワードは携帯電話機３のメモリ２２０に記憶される。従って、携帯電話機３のメモリ２２０は、本実施形態においてパスワード記憶手段としても機能する。
【０２５６】
次に本実施形態の機種名「Ａ物語」という遊技機１を、遊技者としての「太郎」及び「次郎」が遊技した場合について具体的に説明する。まず、太郎が遊技を開始すると、始動口４３に入賞し、表示部２３Ａにおける図柄変動が開始する。そして、リーチ状態、大当たり状態等の各種遊技状態が発生し、これらの遊技状態の遊技情報が遊技機１に蓄積される。そして、例えば遊技を終了した場合に、携帯電話機３を取り出し、遊技情報を携帯電話機３に受信する。続いて太郎はインターネットを通じて、管理サーバ７にアクセスし、遊技情報を送信する。そして、管理サーバ７では遊技情報からポイントテーブルに基づいてポイント数を計算する。
太郎は、以後このような行為を繰り返し、そして、獲得ポイント数が１０００ポイント以上となると、管理サーバ７はパスワード「１２３４５」を太郎の携帯電話機３に電子メールにて送信する。
そして、太郎が次に「Ａ物語」を遊技し、リーチ状態となったときに、パスワード受信可能期間が到来する。そして、太郎は、確認ボタン９０Ａを押すことによって、意思確認時間、及び待機画面表示時間の合計時間のパスワード受信可能期間を確保することができる。仮に太郎が携帯電話機３の準備を行っていない場合には、延長ボタン９０Ｂを押すことによって、意思確認時間、待機画面表示時間、延長の意思確認時間、及び延長の待機画面表示時間の合計時間のパスワード受信可能期間を確保することができる。そして、適正にパスワードが受信されると、これと連動して、遊技機１では背景変更、キャラクタ変更を伴うスペシャルリーチ動作処理が行われる。
一方、次郎は、遊技時間が短いためパスワードを取得していないものとする。この次郎が「Ａ物語」を遊技し、リーチ状態となったときに、パスワード受信可能期間が到来するが、次郎はパスワードを取得していないためにパスワードの送信を望まない。よって、次郎は、確認ボタン９０Ａを押さないことによって、パスワード受信可能期間を意思確認時間のみに短縮することができ、待機画面表示時間という不必要な時間、待機することが不要となる。
【０２５７】
次に第１実施形態の効果について説明する。
第１実施形態によれば、パスワードを送信等しない遊技者に対しては、パスワード受信可能期間を短縮して、この遊技者が不要な時間、待たされることを防止することができる。他方、パスワードの送信等に戸惑った遊技者に対しては、受信可能期間を延長することによって追加のパスワードの送信機会を与えることができる。
【０２５８】
また、パスワード受信可能期間は、この期間中における遊技者の設定により調整できるようになっている。
従って、このパスワード受信可能期間が到来したときに、遊技者は、自己の携帯電話機３の準備状況等によって、パスワード受信可能期間を調整することができる。
【０２５９】
また、本実施形態によれば、期間変更手段たる確認ボタン９０Ａ及び延長ボタン９０Ｂは、遊技機１のハンドル付近に配置されているから、遊技者は容易に確認ボタン９０Ａ、延長ボタン９０Ｂを操作することができる。
【０２６０】
また、本実施形態では、確認ボタン９０Ａ、及び延長ボタン９０Ｂの操作方法は、受信可能期間内に特別図柄表示装置２３によってメッセージ表示されるから、確認ボタン９０Ａ、延長ボタン９０Ｂの操作方法が分からないために遊技者が戸惑うことを防止することができる。
【０２６１】
また、本実施形態によれば、遊技者は、自己が所有する携帯電話機３を用いてパスワードを遊技機１に送信することによって、演出内容を変更することができるから、遊技機１が遊技店に設置されてから長時間経過したとしても演出内容に飽きにくくなる。
さらに、遊技者の意識が高まったリーチ状態のときにパスワードを送信し、これと連動して遊技機１の演出内容が変更されるから、遊技者に演出内容の変更に関与している印象を強く与えることができる。
【０２６２】
また、本実施形態では、受信可能期間内に、パスワードの送信方法が報知されるから、パスワードの送信方法が分からないために遊技者が戸惑うことを防止することができる。
【０２６３】
また、ポイント数が所定値以上になったときに与えられる特別の利益は、遊技内容に直接関連したパスワードの取得であるため、遊技者に非常に魅力的なものとなり、遊技者の遊技意欲を向上させて集客効果を奏することができる。
【０２６４】
また、本実施形態の構成によれば、遊技者はパスワードを取得するために管理サーバ７にアクセスする。よって、管理サーバ７側においては、遊技者の遊技情報等を取得することができ、この遊技情報を多様な方法で活用することが可能となり、広範な範囲、例えば、地区、都道府県、全国でのランキングを設けることが容易にでき、その結果遊技者の遊技意欲を向上させて、集客、遊技時間の拡大等を図ることができる。
【０２６５】
また、本実施形態では、遊技者がパスワードを送信する行為によって、遊技内容が変化する構成となっている。遊技機１、特にパチンコ遊技機では、遊技者が実質的に操作できる部分はハンドル調整に限られている。本実施形態では、遊技者はハンドル調整以外にも、パスワードを送信するという遊技内容に関連した操作ができるから、遊技意欲が増進される。
【０２６６】
また、本手段の構成によれば、複数の遊技状態と、これらの遊技状態にそれぞれ対応させたポイント数からなるポイントテーブル１３２に基づいてポイント積算されている。そして、このポイントテーブル１３２は、遊技機１に記憶されているのではなく、管理サーバ７に記憶されている。一般に遊技機１では、不正を防止するため製造後はその内部基板等を変更することができない。本実施形態では、上述のようにポイントテーブル１３２が管理サーバ７に記憶されているから、各遊技状態におけるポイントの配点等を変更し、パスワード獲得条件を容易に見直すことができる。例えば、遊技機を販売した時点では、その遊技機の稼働率が高いものと考えていたが、実際にはその遊技機の稼働率が低かった場合には、ほとんどの遊技者のポイント数が所定値に達せずにパスワードを獲得できないことが予想される。この様な場合には、各遊技状態における獲得ポイント数を増加させる等して、比較的容易にパスワードの獲得が可能とし、遊技者の遊技意欲の向上を図って遊技機の稼働率を上げることが考えられる。
【０２６７】
また、本実施形態の遊技機１によれば、遊技者の視線が集中するキャラクタが変更されるため、演出内容が変化したという印象が大きくなり、遊技者の飽きを効果的に防止することができる。
【０２６８】
また、本実施形態の遊技機１によれば、可変表示装置に表示される図柄の中でも面積の大きな背景が変更されるから、演出内容が変化したという印象が大きくなり、遊技者の飽きを効果的に防止することができる。
【０２６９】
また、本実施形態によれば、遊技機１からの遊技情報の受信、管理サーバ７への遊技情報の送信、管理サーバ７からのパスワードの受信、及び遊技機１へのパスワードの送信が、幅広く普及している携帯電話機３によって行われるため、幅広い遊技者の利用を期待することができる。また、遊技者は、電子メールの閲覧等をするために携帯電話機３を常時携帯していることが多いから、遊技店に出かける際に携帯し忘れるおそれが減少する。
【０２７０】
また、本実施形態によれば、パスワード不一致である旨が確実に報知されるから、遊技者は、適正なパスワードを送信し直すことができる。
【０２７１】
また、本実施形態によれば、遊技機１の機種毎に定められた固有のパスワードを受信した場合にのみ、演出内容の変更が行われることとしたから、他の機種用のパスワードを受信した場合には、演出内容の変更が行われない。よって、パスワードの他機種への流用を防止することができる。
【０２７２】
また、本実施形態によれば、変更される演出内容の予告情報が送信されるため、遊技者はその変更内容を把握できる。よって、遊技者の遊技意欲が向上する。
【０２７３】
＜第２実施形態＞
次に本発明の第２実施形態について図５２〜５４を参照しつつ説明する。第２実施形態では、図５２に示すパスワード受信処理ルーチンが第１実施形態と異なっており、他の構成、作用、効果については同一であるため省略する。本実施形態では、リーチ状態のときに遊技者が送信するパスワードは、そのリーチ状態のとき１回に限り有効とされている。また、パスワードは、特定のリーチ状態、ここでは、マリンちゃんリーチのときのみ送信可能とされ、その他のリーチのときには送信することができない構成となっている。
【０２７４】
また、本実施形態では、赤外線発光部９１及び赤外線受光部９３（情報データ受信部に相当する）は、所定のキャラクタ上に配置されており、このキャラクタがパスワードを送信可能なタイミングに遊技者の視覚に入る位置に変位する構成となっている。
具体的には、例えば、図５３及び図５４に示すように、特別図柄表示装置２３の表示部２３Ａの上部には、樹木をモチーフにしたキャラクター部３０１が設けられている。
【０２７５】
そして、キャラクター部３０１では、赤外線発光部９１及び赤外線受光部９３が木の葉状の変位部３０３に配置されており、この変位部３０３は、駆動アクチュエータとしてのソレノイド部３０５（図５４）により変位可能とされ、パスワードを送信可能なタイミングには図５４（ｂ）に示すように、下方に変位して遊技者に視覚可能とされ、このタイミング以外には、図５４（ａ）に示すようにキャラクタ部３０１内部に収納されて遊技者から見えないようになっている。
【０２７６】
この駆動機構は次のようになっている。ソレノイド部３０５を駆動するための信号がアクチュエータ駆動手段に入力されると、ソレノイド部３０５におけるコイル部３０７が通電されて駆動部３０９の一部がばね等の弾性部材３１１の付勢に抗してコイル部３０７内に引き込まれる。そして、その駆動部３０９に連結されてこれと上下動するように構成された連動部３１３が連動するようになっている。
【０２７７】
より具体的には、図５４（ａ）に示す第１変位状態にある場合において通電が開始されると、コイル部３０７内に鉄心が引きこまれ、これと連動して連動部３１３が上方に移動し、かつその連動部３１３が変位部３０３の端部に形成された軸状の作用部３１５を上方に押し上げるように作用する。そして、これに伴って変位部３０３が回動することにより図５４（ｂ）に示す第２変位状態となる。
【０２７８】
次に本実施形態のパスワード受信処理ルーチンについて説明する。このパスワード受信処理ルーチンでは、図５２に示すように最初に、ステップＳ１００１において、リーチ状態か否かを判定する。次にステップＳ１００３において、特定のリーチ状態（マリンちゅんリーチ）か否かを判定する。本実施形態では、特定のリーチ状態のときが「所定のタイミング」であり、このリーチ状態のときに限って、パスワードが遊技機１に受信されたか否かが判定され、正しいパスワードの受信と連動して前記スペシャルリーチ処理が行われるようになっている。
リーチ状態でない場合（Ｓ１００１：ＮＯ）、及び特定のリーチ状態でない場合（Ｓ１００３：ＮＯ）には、本ルーチンを終了する。特定のリーチ状態と判定された場合（Ｓ１００３：ＹＥＳ）には、ステップＳ１００５において、「パスワードを送信する方は、確認ボタンを押した後、６０秒以内にパスワードを送信して下さい。」とのメッセージを特別図柄表示装置２３に所定時間（例えば３０秒、以下「意思確認時間」という）表示するとともに、アクチュエータを駆動し、図５４（ｂ）に示すように、木の葉状の変位部３０３を遊技者に視覚可能な状態とするとともに、この変位部３０３上の赤外線受光部９３を露出させて、パスワードの受信を可能とする。なお、アクチュエータは、後述するステップＳ１００９、又はステップＳ１０２７における待機画面表示が終了するまで継続して駆動され、待機画面が表示されている間は、図５４（ｂ）に示すように、木の葉状の変位部３０３は遊技者に視覚可能とされている。
次にこの意思確認時間内に確認ボタン９０Ａが押されたか否かが判定される（Ｓ１００７）。ステップＳ１００７において確認ボタン９０Ａが押されたと判定された場合には、特別図柄表示装置２３に例えば、「パスワード受信タイム中です。」との受信の待機画面を所定時間（例えば６０秒、以下「待機画面表示時間」という）表示する（ステップＳ１００９）。そして、ステップＳ１０１１において、意思確認時間又は待機画面表示時間内にパスワードを受信したか否かが判定され、その結果、パスワードを受信したと判定された場合（ステップＳ１０１１：ＹＥＳ）には、ステップＳ１０１３において受信したパスワードがＲＯＭ８５に記憶されるパスワードと一致するか否かを判定する。受信したパスワードがＲＯＭ８５に記憶されるパスワードと一致する場合（Ｓ１０１３：ＹＥＳ）には、ステップＳ１０１５において、パスワード一致信号ＯＮを出力端子７０ｉに出力する。
【０２７９】
このパスワード一致信号ＯＮにより、上述のスペシャルリーチ動作が行われる。そして、ステップＳ１０１７において、スペシャルリーチ動作が終了したことを確認し、続くステップＳ１０１９において、パスワード一致信号をＯＦＦとし、本ルーチンを終了する。
一方、ステップＳ１０１３において、受信したパスワードがＲＯＭ８５に記憶されるパスワードと一致しない場合（ステップＳ１０１３：ＮＯ）には、ステップＳ１０２１において、例えば、「パスワードが一致しません」とのメッセージを特別図柄表示装置２３に表示し、メインルーチンにリターンする。なお、ステップＳ１０２１が本発明におけるパスワードが不一致である旨を報知する報知手段に相当する。
【０２８０】
また、特定のリーチ状態となった場合でも、パスワードの送信を望まない者は、確認ボタン９０Ａを押さずにそのままの状態で放置する（ステップＳ１００７：ＮＯ）。すると、待機画面が所定時間表示されることなく、本ルーチンは終了する。
【０２８１】
前記意思確認時間又は待機画面表示時間内にパスワードを送信し損ねた遊技者、例えば、携帯電話機３の操作に戸惑った遊技者に対しては、第１実施形態の場合と同様にして、ステップＳ１０２３からステップＳ１０２９における延長時間内に再度パスワードを送信する機会が与えられている。
【０２８２】
次に第２実施形態特有の効果について説明する。その他の効果は第１実施形態の場合と同様である。
本実施形態においては、遊技者によって送信されたパスワードは、１回のリーチ状態においてのみ、遊技機１の動作内容を変更させるパスワードとして有効とされている。
この構成によれば、遊技者は、一回の遊技において一度パスワードを送信したとしても、そのパスワードが遊技機１の動作内容の変更に対して無効となった後には、パスワードを再送信することとなる。よって、１回の遊技において遊技者のパスワードの送信作業が複数回生ずるから、遊技者に遊技機１の動作内容の変更に関与しているという感触を複数回与えることができ、遊技者の遊技意欲が増大する。
【０２８３】
また、本実施形態においては次のような作用効果も生ずる。特定のリーチ、ここではマリンちゃんリーチにおいては、その後大当たりとなる確率が、他のリーチ(例えばノーマルリーチ)よりも高いことがある。
その結果、特定のリーチとなると大当たりになるかもしれないという遊技者の期待感が増大する。本実施形態によれば、遊技者は特に期待感の高まった特定のリーチ状態のときに情報データを送信し、これと連動して遊技機の動作内容が変更されるから、遊技者に動作内容の変更に関与している印象をさらに強く与えることができる。
【０２８４】
また、パスワード送信タイミングに、変位部３０３に配された赤外線受光部９３を露出させることとしたから、所定のタイミングにのみパスワードが受信可能となる。さらに、変位部３０３の変位により遊技者に所定のタイミングが到来したことを確実に知らせることができる。また、本実施形態では、変位部３０３を特別図柄表示装置２３内に設けたから、遊技者の注目が集まりやすく、確実に遊技者にパスワードの送信タイミングを知らせることができる。
【０２８５】
なお、第２実施形態においては、パスワードが有効とされる特定遊技状態として、リーチ状態の場合を示したが、これに限定されず、確変モード状態、時短モード状態等であってもよく、また、所定回数は１回としたが、回数は特に限定されず複数回であってもよいことは勿論である。
【０２８６】
＜第３実施形態＞
次に本発明の第３実施形態について図５５〜５８を参照しつつ説明する。以下の説明では、第１実施形態と異なる点のみを説明し、他の構成、作用、効果については同一であるため省略する。
本実施形態では、遊技機１には、バーコードを読み取るためのＣＣＤカメラ９２（本発明の読取手段に相当する）が、備えられるとともに、パスワードは、携帯電話機３の液晶パネル２０６（本発明の表示手段に相当する）にバーコードとして表示されるようになっている。なお、液晶パネル２０６に表示される識別情報は、バーコードに限らず文字、図形、記号、二次元コードその他の識別情報であってもよい。また、ＣＣＤカメラ９２の代わりに例えば、スキャナ等を使用してもよい。
【０２８７】
また、第３実施形態では、図５８に示すパスワード受信処理ルーチンが第１実施形態と異なっている。このパスワード受信処理ルーチンについて説明する。このパスワード受信処理ルーチンでは、図５８に示すように最初に、ステップＳ１１０１において、リーチ状態か否かを判定する。
【０２８８】
本実施形態では、リーチ状態のときが「所定のタイミング」であり、このリーチ状態のときに限って、バーコードが遊技機１に読み込まれたか否かが判定され、このバーコードから解読されたパスワードが正しいパスワードである場合には、連動して前記スペシャルリーチ処理が行われるようになっている。
リーチ状態でない場合（Ｓ１１０１：ＮＯ）には、本ルーチンを終了する。リーチ状態と判定された場合（Ｓ１１０１：ＹＥＳ）には、ステップＳ１１０３において、「パスワード（バーコード）を読み込ませる方は、確認ボタンを押した後、６０秒以内にバーコードをＣＣＤカメラから読み込ませて下さい。確認ボタンを押さない場合には、バーコードの読み取りタイムが終了します。」とのメッセージを特別図柄表示装置２３に所定時間（例えば３０秒、以下「意思確認時間」という）表示し、次にこの意思確認時間内に確認ボタン９０Ａが押されたか否かが判定される（Ｓ１１０５）。ステップＳ１１０５において確認ボタン９０Ａが押されたと判定された場合には、特別図柄表示装置２３に例えば、「バーコード読取タイム中です。」との待機画面を所定時間（例えば６０秒、以下「待機画面表示時間」という）表示し（ステップＳ１１０７）、この際に遊技者は図５７に示すように携帯電話機３の液晶パネル２０６をＣＣＤカメラ９２に向ける。
なお、待機画面中にバーコード読取タイムの残存時間が表示されることが望ましい。また、待機画面中にバーコードの読取方法が表示されることが好ましい。
次に、ステップＳ１１０９において、意思確認時間又は待機画面表示時間内にバーコードを読み取ったか否かが判定され、その結果、バーコードを読み取ったと判定された場合（ステップＳ１１０９：ＹＥＳ）には、ステップＳ１１１１において読み取ったバーコードから解読されたパスワードがＲＯＭ８５に記憶されるパスワードと一致するか否かを判定する。パスワードがＲＯＭ８５に記憶されるパスワードと一致する場合（Ｓ１１１１：ＹＥＳ）には、ステップＳ１１１３において、パスワード一致信号ＯＮを出力端子７０ｉに出力する。
【０２８９】
このパスワード一致信号ＯＮにより、上述のスペシャルリーチ動作が行われる。そして、ステップＳ１１１５において、スペシャルリーチ動作が終了したことを確認し、続くステップＳ１１１７において、パスワード一致信号をＯＦＦとし、本ルーチンを終了する。
一方、ステップＳ１１１１において、バーコードから解読されたパスワードがＲＯＭ８５に記憶されるパスワードと一致しない場合（ステップＳ１１１１：ＮＯ）には、ステップＳ１１１９において、例えば、「パスワードが一致しません」とのメッセージを特別図柄表示装置２３に表示し、メインルーチンにリターンする。
【０２９０】
また、リーチ状態となった場合でも、バーコードの読み込みを望まない者、例えばパスワードをコード化したバーコードを取得していない遊技者や、バーコードを取得したとしてもこのバーコードにより遊技機１の動作内容の変更を望まない遊技者は、その選択により確認ボタン９０Ａを押さずにそのままの状態で放置する（ステップＳ１１０５：ＮＯ）。すると、待機画面が所定時間表示されることなく、本ルーチンは終了する。
このようにバーコードの読み込みを望まない者は確認ボタン９０Ａを押さないという選択をすることにより、確認ボタン９０Ａを押した場合よりもバーコード読取可能期間を短縮することができる。具体的には、確認ボタン９０Ａを押さない場合には、バーコード読取可能期間は意思確認時間のみとなり、確認ボタン９０Ａを押した場合の意思確認時間と待機画面表示時間の合計時間よりも、待機画面表示時間分短くなる。
【０２９１】
前記意思確認時間又は待機画面表示時間内にバーコードを読み込ませ損ねた遊技者、例えば、携帯電話機３の操作に戸惑った遊技者は、ステップＳ１１２１からステップＳ１１２７における延長時間内に再度バーコードを読み取らせる機会が与えられている。すなわちステップＳ１１０９において、意思確認時間又は待機画面表示時間内にバーコードを読み取っていないと判定された場合（ステップＳ１１０９：ＮＯ）には、特別図柄表示装置２３に例えば、「バーコード読取タイムを延長しますか。延長を希望する方は、延長ボタン９０Ｂを押した後、６０秒以内にバーコードを読み込ませて下さい。」とのメッセージを特別図柄表示装置２３に所定時間（例えば３０秒、以下「延長の意思確認時間」という）表示し、次にこの延長の意思確認時間内に延長ボタン９０Ｂが押されたか否かが判定される（Ｓ１１２３）。ステップＳ１１２３において延長ボタン９０Ｂが押されたと判定された場合には、特別図柄表示装置２３に例えば、「延長されたバーコード読取タイム中です。」との待機画面を所定時間（例えば６０秒、以下「延長の待機画面表示時間」という）表示する（ステップＳ１１２５）。そして、ステップＳ１１２７において、延長の意思確認時間又は延長の待機画面表示時間内にバーコードが読み取られたか否かが判定され、その結果、バーコードを読み取ったと判定された場合（ステップＳ１１２７：ＹＥＳ）には、上述のＳ１１１１以降の処理を行う。
なお、第３実施形態においても第１実施形態と同様の効果を生じる。
【０２９２】
＜第４実施形態＞
次に本発明の第４実施形態について図５９〜図６５を参照しつつ説明する。以下の説明では、第１実施形態と異なる点のみを説明し、他の構成、作用、効果については同一であるため省略する。
本実施形態では、遊技機１には、図６０〜図６１に示すように第１実施形態の確認ボタン９０Ａ及び延長ボタン９０Ｂは設けられておらず、その代わりに、検出センサ９４が設けられ、この検出センサ９４によって、赤外線受光部９３から所定範囲内に携帯電話機３が接近しているか否かが検出されるようになっている。  そして、この検出センサ９４によって、携帯電話機３が赤外線受光部９３に接近していることが検出されると、その検出状況に応じてパスワード受信可能期間が変更されるようになっている。
【０２９３】
ここで、パスワード受信可能期間がどのように変更されるのかを図６２〜図６４を参照しつつ、その一例について説明する。本実施形態においては、パスワード受信可能期間の最大は、図６２に示すように例えば５０秒となっている。
なお、図６２において最上位の線は、携帯電話機３が検出センサ９４に検知されているか否かを示しており、実線は携帯電話機３が検出されている状況（遊技者が携帯電話機３を赤外線受光部９３を近づけている状況）を示し、破線は携帯電話機３が検出されていない状況（遊技者が携帯電話機３を赤外線受光部９３に近づけていない状況）を示している。上から二番目の線は、（１）パスワードを遊技機１が受信し、かつ（２）そのパスワードがＲＯＭ８５に記憶されるパスワードと一致したか否かを示すもので、図６４に示されるように破線上に表した黒丸が、（１）パスワードを遊技機１が受信し、かつ（２）そのパスワードがＲＯＭ８５に記憶されるパスワードと一致した場合を示している。
【０２９４】
まず、１０秒間の受信準備期間が設けられている（図６２参照）。これは、リーチ状態となったと判断された場合に設けられる期間である。そして、受信準備期間内に携帯電話機３が赤外線受光部９３に接近していることが検出されると、その期間に続いて受信可能期間が与えられる。
一方、受信準備期間内に携帯電話機３が赤外線受光部９３に接近していることが検出されないと、図６３に示すように受信可能期間は全く設けられないようになっている。従って、パスワードの送信を望まない遊技者は、不要な受信可能期間中待たされることはなくなる。
なお、図６２において受信準備期間中、携帯電話機３がその期間の初めから終わりまで検出されている状況となっているが、この期間のなかで、一時的にでも携帯電話機３が検出された場合には、続く受信可能期間が与えられるようになっている。
【０２９５】
受信可能期間は、図６２に示すように最大２０秒与えられる最初の受信可能期間（（１）で示す）、最初の受信可能期間に続いて最大１０秒ずつ与えられる追加の受信可能期間（（２）〜（４））からなる。追加の受信可能期間（（２）〜（４））は、パスワードの送信に戸惑った遊技者に再度パスワードの送信機会を与えるためのものである。なお、図６２では、追加の受信可能期間は（２）〜（４）の３回となっているが、追加の受信可能期間の付与回数は、特に限定されない。但し、最初の受信可能期間と追加の受信可能期間の合計が５０秒を超えないようになっている。
追加の受信可能期間は、以下のようにして与えられる。すなわち、図６２の最初の受信可能期間（（１））の期間の終わり５秒間において、携帯電話機３が赤外線受光部９３に接近していることが検出されると、その期間に続いて追加の受信可能期間（（２））が与えられる。同様にして追加の受信可能期間（（２）〜（４））の期間の終わり５秒間においても、携帯電話機３が赤外線受光部９３に接近していることが検出されると、その期間に続いて更なる追加の受信可能期間が与えられるようになっている。従って、本実施形態では、遊技者は、単に期間の終わり５秒間に携帯電話機３を赤外線受光部９３に近づけるだけで、延長ボタン９０Ｂの操作等の特別の操作をすることなく、追加の受信可能期間を得ることができる。なお以下の説明においては、受信可能期間の期間の終わり５秒間を５秒間のカウントダウンという場合もある。
【０２９６】
また、最初の受信可能期間、及び追加の受信可能期間はいずれも、その期間中において携帯電話機３が検出センサ９４に検出されない状況となると、図６４の最初の受信可能期間（（１））に示すように、検出されなくなった後その期間は５秒間で終了するようになっている。具体的には、最初の受信可能期間（（１））は図６２に示すようにその期間中、携帯電話機３が検出センサ９４に検出され続けている状況では、２０秒存在することとなるが、例えば図６４のように期間の始まりから７秒経過した時点で検出されなくなった場合には、その後、その受信可能期間は５秒間で終了し、結局、最初の受信可能期間（（１））は１２秒と短縮されるようになっている。なお、このように受信可能期間が短縮される場合においても、図６４に示すように、期間の終わり５秒間において、携帯電話機３が赤外線受光部９３に接近していることが検出されると、その期間に続いて追加の受信可能期間が与えられるようになっている。
【０２９７】
また、これらのいずれかの期間において、例えば図６４に示すように、（１）パスワードを遊技機１が受信し、かつ（２）そのパスワードがＲＯＭ８５に記憶されるパスワードと一致した場合（図６４中、黒丸の時点でこれらの条件が満たされたものとする）には、条件成立後は、各受信可能期間の最後の５秒間において、携帯電話機３を検出していたとしても、さらなる追加の受信可能期間は、与えられないようになっている。例えば、図６４では、追加の受信可能期間（（２））の最後の５秒間に携帯電話機３を検出しているが、それに続く追加の受信可能期間は与えられていない。遊技者からの正しいパスワードの受信が完了した後は、追加の受信可能期間は不要だからである。
【０２９８】
以上のように受信可能期間を変更するために、本実施形態では、第１実施形態と異なるパスワード受信処理ルーチンを用いている。ここで、このパスワード受信処理ルーチンについて説明する。このパスワード受信処理ルーチンでは、図６５に示すように最初に、ステップＳ１２０１において、リーチ状態か否かを判定する。
【０２９９】
リーチ状態でない場合（Ｓ１２０１：ＮＯ）には、本ルーチンを終了する。リーチ状態と判定された場合（Ｓ１２０１：ＹＥＳ）には、ステップＳ１２０５において、「パスワード受信準備期間です（１０秒）。パスワードを送信する方は、この期間内に携帯電話機を赤外線受光部に近づけて下さい。近づけると受信可能期間が到来します。」とのメッセージを特別図柄表示装置２３に所定時間（１０秒）表示し、次にこの受信準備時間内に携帯電話機３が検出センサ９４に検知されたか否かが判定される（Ｓ１２０７）。ステップＳ１２０７において受信準備時間内に携帯電話機３が検出センサ９４に検知されたと判定された場合には、特別図柄表示装置２３に例えば、「最初の受信可能期間中です。」との待機画面を表示する（Ｓ１２０９）。
【０３００】
次に、ステップＳ１２１１において、携帯電話機３が検出センサ９４に検知され続けているか否かが判定される。その結果、携帯電話機３が検出センサ９４に検知され続けていると判定された場合（Ｓ１２１１：ＹＥＳ）には、続いて、最初の受信可能期間が１５秒に達したか否かが判定され（Ｓ１２１３）、１５秒に達した場合には、５秒のカウントダウンを開始する（Ｓ１２１５）。最初の受信可能期間が１５秒に達しない場合には、Ｓ１２０９に戻って引き続き「最初の受信可能期間中です。」との待機画面に表示する。
なお、携帯電話機３が検出センサ９４に検知されなくなった場合（Ｓ１２１１：ＮＯ）には、１５秒を待たずに５秒のカウントダウンを開始する（Ｓ１２１５）。
【０３０１】
続いて、ステップ１２１７において、最初の受信可能期間中にパスワードを受信したか否かが判定され、その結果、パスワードを受信したと判定された場合（ステップＳ１２１７：ＹＥＳ）には、ステップＳ１２１９において受信したパスワードがＲＯＭ８５に記憶されるパスワードと一致するか否かを判定する。受信したパスワードがＲＯＭ８５に記憶されるパスワードと一致する場合（Ｓ１２１９：ＹＥＳ）には、ステップＳ１２２３において、パスワード一致信号ＯＮを出力端子７０ｉに出力する。
【０３０２】
このパスワード一致信号ＯＮにより、上述のスペシャルリーチ動作が行われる。そして、ステップＳ１２２７において、スペシャルリーチ動作が終了したことを確認し、続くステップＳ１２２９において、パスワード一致信号をＯＦＦとし、本ルーチンを終了する。
【０３０３】
一方、ステップ１２１７において、最初の受信可能期間中にパスワードを受信しなかった場合（Ｓ１２１７：ＮＯ）、又はステップＳ１２１９において受信したパスワードがＲＯＭ８５に記憶されるパスワードと一致しない場合（Ｓ１２１９：ＮＯ）には、続く、ステップＳ１２５０以降において追加の受信可能期間が与えられる。
まず、最初の受信可能期間の５秒のカウントダウン期間内に携帯電話機３が検出センサ９４に検知されたか否かが判定され（Ｓ１２５０）、その結果、検知されたと判定された場合には、特別図柄表示装置２３に例えば、「追加の受信可能期間中です。」との待機画面を表示する（Ｓ１２５３）。
一方、５秒のカウントダウン期間内に携帯電話機３が検出センサ９４に検知されない場合（Ｓ１２５０：ＮＯ）には、追加の受信可能期間を与えることなく、本ルーチンを終了する。
次に、ステップＳ１２５５において、携帯電話機３が検出センサ９４に検知され続けているか否かが判定される。その結果、携帯電話機３が検出センサ９４に検知され続けていると判定された場合（Ｓ１２５５：ＹＥＳ）には、続いて、追加の受信可能期間が５秒に達したか否かが判定され（Ｓ１２５７）、５秒に達した場合には、５秒のカウントダウンを開始する（Ｓ１２５９）。追加の受信可能期間が５秒に達しない場合には、Ｓ１２５３に戻って引き続き「追加の受信可能期間中です。」との待機画面を表示する。
なお、携帯電話機３が検出センサ９４に検知されなくなった場合（Ｓ１２５５：ＮＯ）には、５秒を待たずに５秒のカウントダウンを開始する（Ｓ１２５９）
【０３０４】
続いて、ステップ１２６１において、追加の受信可能期間中にパスワードを受信したか否かが判定され、その結果、パスワードを受信したと判定された場合（ステップＳ１２６１：ＹＥＳ）には、ステップＳ１２６５において受信したパスワードがＲＯＭ８５に記憶されるパスワードと一致するか否かを判定する。受信したパスワードがＲＯＭ８５に記憶されるパスワードと一致する場合（Ｓ１２６５：ＹＥＳ）には、上述のステップＳ１２２３〜Ｓ１２２９の処理を行う。
一方、ステップ１２６１において、追加の受信可能期間中にパスワードを受信しなかった場合（Ｓ１２６１：ＮＯ）、又はステップＳ１２６５において受信したパスワードがＲＯＭ８５に記憶されるパスワードと一致しない場合（Ｓ１２１６５：ＮＯ）には、ステップＳ１２７０において、受信可能期間の合計、すなわち、最初の受信可能期間と追加の受信可能期間との合計が４０秒以下か否かが判定される。その結果、受信可能期間の合計時間が既に４０秒よりも大きい場合（Ｓ１２７０：ＮＯ）、つまり、次に最大１０秒の追加の受信可能期間を与えてしまうとその合計が５０秒を超えてしまう場合には、本ルーチンを終了する。
４０秒以下の場合（Ｓ１２７０：ＹＥＳ）には、追加の受信可能期間の５秒のカウントダウン内に携帯電話機３が検出センサ９４に検知されたか否かが判定され（Ｓ１２７５）、その結果、検知されたと判定された場合には、ステップＳ１２５３に戻り、更なる追加の受信可能期間を与えられる。なお、５秒のカウントダウン内に携帯電話機３が検出センサ９４に検知されないと判定された場合（Ｓ１２７５：ＮＯ）には、本ルーチンを終了する。
【０３０５】
なお、本実施形態では、各受信可能期間のカウントダウンが特別図柄表示装置２３等に例えば、「あと５秒です。」「あと４秒です」のように表示されることが望ましい。さらに、カウントダウン中に携帯電話機３が検出センサ９４に検知されて受信可能期間が延長される場合には、追加された受信可能期間を加算して表示することが望ましい。例えば、カウントダウンを開始し、「あと３秒です」の表示がされたときに携帯電話機３が検知されて受信可能期間が１０秒延長される場合には、「あと１３秒です」の表示がされることが望ましい。
このような構成によれば、遊技者は、受信可能期間の残り時間を把握することができる。また、受信可能期間が延長された場合には、その延長された期間が加算された残存時間が表示されるから、遊技者は、正確な残存時間を把握することができる。
【０３０６】
次に第４実施形態特有の効果について説明する。その他の効果は第１実施形態の場合と同様である。
本実施形態によれば、遊技機１の検出センサ９４によって携帯電話機３が検出されると、この結果に基づいて自動的に受信可能期間の調整が行われる。つまり、遊技者が特別な操作を行わなくても、自動的に受信可能期間の短縮、削除又は延長が行われるようになるから、遊技者の便宜を図ることができる。
【０３０７】
また、本実施形態によれば、いくら受信可能期間を延長したとしても、この期間は最長期間（５０秒）より長くなることはなくなる。よって、受信可能期間のためにゲームが無制限に中断されるおそれはなくなる。
【０３０８】
また、本実施形態によれば、受信準備期間内に、携帯電話機３が遊技機１に対して所定の位置にあることが検出されない場合、すなわち、パスワードの送信等を希望しない遊技者の場合は、受信可能期間が削除されるから、この遊技者が不要な時間中、待たされることを防止できる。
【０３０９】
また、本実施形態によれば、最初の受信可能期間、及び追加の受信可能期間はいずれも、その期間中において携帯電話機３が検出センサ９４に検出されない状況となると、検出されなくなった後、原則として所定期間（５秒間）で終了するようになっている。パスワードの送信等を希望する遊技者は、その送信等のために携帯電話機３を遊技機１に対して所定の位置にもっていくが、送信等を終了した場合や初めは送信等しようと考えていたが気が変わって送信を希望しなくなった場合には、携帯電話機３を遊技機１から離す。すなわち、携帯電話機３が所定の位置にありと検出センサ９４によって検出されている場合には、遊技者の送信意思があるものと擬制され、携帯電話機３が所定の位置になく検出センサ９４によって検出されていない場合には、遊技者の送信意思がないものと擬制される。本実施形態によれば、検出センサ９４によって携帯通信端末３が検出されなくなったことに基づいて、最初の受信可能期間、及び追加の受信可能期間を終了するようにしたから、遊技者の意思に沿うように最初の受信可能期間、及び追加の受信可能期間を終了させることができる。
【０３１０】
さらに、本実施形態では、最初の受信可能期間、及び追加の受信可能期間はいずれも、携帯電話機３が検出センサ９４に検出されなくなった後、原則として所定期間（５秒間）で終了するようになっているが、この所定期間（５秒間）において、携帯電話機３が赤外線受光部９３に接近していることが検出されると、その所定期間（５秒）に続いて追加の受信可能期間が与えられる。
よって、一旦、パスワードの送信意思を喪失して遊技機１から携帯電話機３を離したが、再びパスワードを送信しようとして携帯電話機３を遊技機１に対して所定位置にかざした遊技者に対してパスワードの送信機会を再び与えることができる。
【０３１１】
また、本実施形態によれば、パスワードが適正なもの（パスワードが一致した）と判断された場合には、この判断時以降において延長期間が新たに設定されないようしたから、不要な延長期間が設定されてゲームが中断することを防止できる。
【０３１２】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。なお、上述した各ルーチン（処理手順）はその一例を示したものに過ぎず、適宜変更することができる。
【０３１３】
（１）上記実施形態では、管理サーバ７がポイント加算等の遊技情報処理を行うこととしたが、これに限られず、例えば、携帯電話機３において、図５０に示したポイント加算等の遊技情報処理を行ってもよい。この場合には、管理サーバ７を設ける必要がなく、システムの構成が単純化される。
なお、この場合において、ポイントの加算、所定条件の正否判断等を行うプログラムは、遊技機メーカのホームページからダウンロードしたり、ＣＤ−ＲＯＭ等の記録媒体によって配布され、携帯電話機３のメモリ２２０内に記憶される。
【０３１４】
（２）上記実施形態では、管理サーバ７がポイント加算を行い、その加算結果が所定の条件を具備することによりパスワードを携帯電話機３に送信することとしたが、管理サーバ７から、ポイント加算結果とは関係なくパスワードを送信してもよい。例えば、遊技機が販売されてから所定の期間経過後に会員登録した遊技者に一斉にパスワードを送信してもよい。これにより、例えば遊技時間が短い、すわなち、上述のポイント数が低い遊技者に対してもパスワードを付与することができ幅広い遊技者の遊技意欲を向上させ、集客を図ることができる。
【０３１５】
（３）上記実施形態では、各機種毎にパスワードは１種類としたが、パスワードを各機種に対して複数設け、これら複数のパスワードの取得条件を異なるものとし、かつ、これらの複数のパスワードに対応した複数の演出内容の変更が行われるようにしてもよい。
【０３１６】
（４）上記実施形態では、携帯通信端末として携帯電話機３を用いた例を示したが、携帯電話機３以外にＰＤＡ（Personal Digital Assistant）等の各種の携帯通信端末を利用することが可能である。
【０３１７】
（５）上記実施形態では、パスワード入力メッセージ等についての報知手段としては特別図柄表示装置２３を用いたが、報知手段としては特に限られず、例えば、光、又は音声による報知が可能なランプ、ＬＥＤ、スピーカ等であってもよい。
【０３１８】
（６）上記実施形態では、遊技機１と携帯電話機３との間で赤外線を媒介として無線通信を行う構成としたが、無線通信であれば特に限定されない。例えば、電波を媒介とする近距離通信技術として知られるブルートゥース通信が可能な携帯通信端末との間でブルートゥースによる無線通信を行う構成としてもよい。
また、ＰＩＡＦＳ（ＰＨＳ  Ｉｎｔｅｒｎｅｔ  Ａｃｃｅｓｓ  Ｆｏｒｕｍ  Ｓｔａｎｄａｒｄ）プロトコルをサポートするように構成された簡易型携帯電話ＰＨＳ（パーソナル・ハンディホン・システム）を用いても良い。
【０３１９】
（７）上記実施形態では、遊技機１の動作内容の変更として特別図柄表示装置２３における背景変更、キャラクタ変更が行われるものとしたが、これらの動作内容の変更に限らず、遊技者に遊技機の動作内容が変更されたことを示すものであれば特に制限されない、例えば、各種装飾ランプ、遊技中に流れる効果音、音楽の変更、リーチ予告態様の変更等が挙げられる。
また、遊技盤上に設けられた可動部材の動作変更であってもよい。例えば、始動口の開閉羽根の開放時間を通常よりも長くすることによって始動口への入賞確率を向上させ、遊技者に有利なゲーム内容とすることが考えられる。また、風車に駆動装置を設けこの風車の回り方を変化させることにより、遊技球の流れ方を変えて始動口への入賞確率を向上させることも考えられる。
なお、可動部材は、動作するものであれば特に限定されず、例えばキャラクタ人形等も含まれる。
また、遊技機１の動作内容の変更がリーチ状態となる確率、大当たり状態となる確率等の各種確率、入賞に対する払い出し個数、大当たり遊技中の大入賞口の開放回数の変更であってもよい。この構成によれば、遊技者に有利な遊技状態とすることができ、遊技者の遊技意欲を向上させることができる。
【０３２０】
（８）上記実施形態では、情報データの一例としてパスワードを用いて説明したが、情報データとしては特に限定されず、例えば、情報データとして遊技機１の動作の変更内容に関するプログラム、又は遊技機１の動作の変更内容に関するデータを用いてもよい。
【０３２１】
（９）上記実施形態では、遊技機１の遊技盤上に赤外線受光部９３が設けられ、遊技機１が直接情報データ（パスワード）を受信する構成としたが、赤外線受光部９３等の受信部を別の装置に設け、この別の装置から情報データを間接的に遊技機１が受信する構成としてもよい、例えば、貨幣の投入等を行う台間機（サンド）に赤外線受光部９３等を設けてもよい。
【０３２２】
（１０）上記実施形態では、メイン基板である制御装置６５に、サブ基板である通信制御基板８０からの信号（パスワード一致信号）が入ることにより遊技機１の動作内容が変更される構成としたが、サブ基板である通信制御基板８０から制御装置６５に信号を入れることなく、通信制御基板８０が直接的に遊技機１の動作内容の変更を制御してもよい。このような構成とすることにより、制御装置６５への外部信号の進入を防止することができるため、外部からの不正が回避される。
【０３２３】
（１１）上記実施形態では、所定のタイミングはリーチ状態のときとしたが、これに限られず、所定のタイミングは、遊技開始後であれば特に限定されない。
例えば、所定のタイミングを、大当たり確率が通常時に比べて高くなる確変モードが決定された後、確変モードが終了するまでの間、又は可変表示装置に表示される変動図柄の変動時間が短くなる時短モードとなることが決定された後、時短モードが終了するまでの間とすることもできる。
これらのモードにおいて、遊技者は淡々と遊技をしていることが多く、遊技内容を退屈と感じている場合も多い。
従って、所定のタイミングをこれらのモードの際とすれば、遊技者はこれらのタイミングで情報データを送信し、そして、これと連動するようにして遊技機１の動作内容が変更されるから、遊技者の退屈感を緩和することができる。
特にこれらのモードにおいては、可変表示器に表示される図柄変動等が単調となることが多いため、可変表示器に特別に用意したアニメーション等を表示することが好ましい。
また、所定のタイミングを大当たり遊技中に設けてもよい。一般に、大当たり遊技中においては、例えば、毎回、同一のアニメーション等が図柄表示装置に表示されるだけなので、遊技者は淡々と遊技をしていることが多く、遊技内容を退屈と感じている場合も多い。本構成によれば、大当たり遊技中に情報データの受信が可能となり、情報データを受信することによって、遊技機１の動作内容が変更されるから、遊技者の退屈感を緩和することができる。
さらに、所定のタイミングは、上記のリーチ状態のとき等に限らず、所定のタイミングを、例えば、発射された遊技球が所定個数に達したとき等、所定条件が成立したときとしてもよい。
【０３２４】
（１２）なお、受信可能期間等の短縮という機能を果たす手段と、受信可能期間等の削除という機能を果たす手段と、受信可能期間等の延長という機能を果たす手段とは別々の手段として設けてもよいし、これらの機能のうち２以上の機能を兼ね備えた手段であってもよい。例えば、短縮という機能を果たすボタンと、削除という機能を果たすボタンと、延長という機能を果たすボタンとを別に設けてもよいし、これら３つの機能を兼ね備えた１つのボタンを設けても構わない。
【０３２５】
（１３）また、上記実施形態では、遊技者は単一の情報データ（パスワード）のみを遊技機１に送ることができる構成であったが、複数種の情報データを送ることができる構成においては、遊技機において、遊技者から送られた情報の種類を例えば液晶等に表示し、遊技者が自ら送った情報の種類を確認できる構成にしてもよい。このようにすれば、遊技者が誤った種類の情報データを送信したとしても、そのことを容易に気付かせることができ、正しい種類の情報データ送信の契機を与えることができる。
【符号の説明】
【０３２６】
１...遊技機
３...携帯電話機（携帯通信端末）
５...インターネット
７...管理サーバ
９０Ａ...確認ボタン（期間変更手段）
９０Ｂ...延長ボタン（期間変更手段）
【図１】
2014230766.tif 000003
【図２】
2014230766.tif 000004
【図３】
2014230766.tif 000005
【図４】
2014230766.tif 000006
【図５】
2014230766.tif 000007
【図６】
2014230766.tif 000008
【図７】
2014230766.tif 000009
【図８】
2014230766.tif 000010
【図９】
2014230766.tif 000011
【図１０】
2014230766.tif 000012
【図１１】
2014230766.tif 000013
【図１２】
2014230766.tif 000014
【図１３】
2014230766.tif 000015
【図１４】
2014230766.tif 000016
【図１５】
2014230766.tif 000017
【図１６】
2014230766.tif 000018
【図１７】
2014230766.tif 000019
【図１８】
2014230766.tif 000020
【図１９】
2014230766.tif 000021
【図２０】
2014230766.tif 000022
【図２１】
2014230766.tif 000023
【図２２】
2014230766.tif 000024
【図２３】
2014230766.tif 000025
【図２４】
2014230766.tif 000026
【図２５】
2014230766.tif 000027
【図２６】
2014230766.tif 000028
【図２７】
2014230766.tif 000029
【図２８】
2014230766.tif 000030
【図２９】
2014230766.tif 000031
【図３０】
2014230766.tif 000032
【図３１】
2014230766.tif 000033
【図３２】
2014230766.tif 000034
【図３３】
2014230766.tif 000035
【図３４】
2014230766.tif 000036
【図３５】
2014230766.tif 000037
【図３６】
2014230766.tif 000038
【図３７】
2014230766.tif 000039
【図３８】
2014230766.tif 000040
【図３９】
2014230766.tif 000041
【図４０】
2014230766.tif 000042
【図４１】
2014230766.tif 000043
【図４２】
2014230766.tif 000044
【図４３】
2014230766.tif 000045
【図４４】
2014230766.tif 000046
【図４５】
2014230766.tif 000047
【図４６】
2014230766.tif 000048
【図４７】
2014230766.tif 000049
【図４８】
2014230766.tif 000050
【図４９】
2014230766.tif 000051
【図５０】
2014230766.tif 000052
【図５１】
2014230766.tif 000053
【図５２】
2014230766.tif 000054
【図５３】
2014230766.tif 000055
【図５４】
2014230766.tif 000056
【図５５】
2014230766.tif 000057
【図５６】
2014230766.tif 000058
【図５７】
2014230766.tif 000059
【図５８】
2014230766.tif 000060
【図５９】
2014230766.tif 000061
【図６０】
2014230766.tif 000062
【図６１】
2014230766.tif 000063
【図６２】
2014230766.tif 000064
【図６３】
2014230766.tif 000065
【図６４】
2014230766.tif 000066
【図６５】
2014230766.tif 000067